(57)【要約】【課題】オーディオネットワークシステムの接続態様を、ユーザが簡単に確認できるようにする。【解決手段】オーディオネットワークビュー画面の最上段６１ａに、基本ネットワークを構成する装置に対応する装置画像６２を、その接続順に横方向に並べて、各装置画像６２の間を、ネットワークの接続形態で結ぶ接続ケーブル画像６６を表示する。２段目以降の各表示段には、上段に表示されたネットワーク中の接続ノードにフルブリッジで接続されたネットワークについて、ネットワークを構成する装置に対応する装置画像６２を、その接続順に横方向に並べて、各装置画像６２の間を、ネットワークの接続形態で結ぶ接続ケーブル画像６６を表示する。パーシャルブリッジ設定で接続されたネットワークについてはパーシャルブリッジ画像６７を表示段に表示する。【選択図】図６
2011223567.tif 000002
【特許請求の範囲】
【請求項１】
カスケードネットワーク状またはリングネットワーク状にケーブルにより連結された１又は複数の装置と、前記装置の１つに接続される、又は、前記装置の１つに備わる制御装置とを含む少なくとも１つのネットワークからなるオーディオネットワークシステムであって、
前記装置が、それぞれ、第１端子及び第２端子を備えるネットワークインターフェースを少なくとも１つ有し、前記カスケードネットワークとは、１台目の装置の前記ネットワークインターフェースの前記第２端子と、２台目の装置の前記ネットワークインターフェースの前記第１端子との間をケーブルを用いて連結し、該２台目の装置の前記ネットワークインターフェースの前記第２端子と、３台目の装置の前記ネットワークインターフェースの前記第１端子とをケーブルを用いて連結し、この連結を順次繰り返すことにより形成されるものであり、また、前記リングネットワークとは、前記カスケードネットワークの終端の装置のネットワークインターフェースの第２端子と、該カスケードネットワークにおける先端の装置のネットワークインターフェースの第１端子とをケーブルを用いて連結することにより形成されるものであり、
前記オーディオネットワークシステムにおいて、
カスケー又はリングネットワーク状に連結された複数の装置を巡るリング状伝送経路を形成する経路形成部と、
前記装置の１つをマスタノードとして指定する指定部であって、該マスタノードに指定された装置が所定周期毎に伝送フレームを生成して該伝送フレームを前記伝送経路に送出し、複数のオーディオ信号と制御データとを載せた前記伝送フレームが前記リング状伝送経路に沿って前記複数の装置の間を巡回するものである指定部と、
１つの装置を送信元として指定し、且つ、別の装置を受信先として指定するオーディオ信号経路制御部であって、送信元に指定された前記装置は前記伝送フレームが当該装置を通過している間にオーディオ信号を該伝送フレームに書き込み、受信先に指定された前記装置は前記伝送フレームが当該装置を通過している間に前記オーディオ信号を該伝送フレームから読み出すものであるオーディオ信号経路制御部と、
前記巡回する伝送フレームを通じて前記制御装置から前記各装置に制御データを送信して、前記制御データに従って前記装置を制御する制御部と
を備えており、
前記経路形成部は、ケーブルを用いてカスケード状に連結され、前記リング状伝送経路が既に形成されている複数の装置のうちの端部の装置を使って、ケーブルを用いてカスケード状又はリング状に連結された各装置と交渉し、前記装置からの応答が肯定であった場合に該装置を前記リング状伝送経路に組み込み、
前記オーディオネットワークシステムは、更に、
前記１つのネットワークの前記リング状伝送経路上にある複数の装置と、前記ケーブルによるそれら複数の装置の連結順とを検出する第１検出部と、
前記検出された前記１つのネットワークの前記リング状伝送経路上の装置の画像を、該複数の装置の画像を連結するケーブル画像とともに、前記検出された連結順で、前記制御装置のディスプレイにグラフィカルに表示する表示部と
を備えることを特徴とする。
【請求項２】
前記検出された複数の装置が、前記ケーブルによりカスケードネットワーク又はリングネットワーク状に連結された装置の全てではなく一部であることを特徴とする請求項１に記載のオーディオネットワークシステム。
【請求項３】
前記ケーブルにより連結された少なくとも１つの前記装置は、前記交渉において前記リング状伝送経路に組み込まれることに同意せず、それゆえ、前記第１検出部によって前記リング状伝送経路上の装置として検出されないことを特徴とする請求項２に記載のオーディオネットワークシステム。
【請求項４】
前記複数の装置がケーブルによってリングネットワーク状に連結されており、当該ケーブルによってリングネットワーク状に連結された当該複数の装置の一部の、該ケーブルによってカスケードワーク状に連結された複数の装置において前記リング状伝送経路が形成されることを特徴とする請求項２に記載のオーディオネットワークシステム。
【請求項５】
前記リング状伝送経路上の少なくとも１つの装置が、当該オーディオネットワークシステムにおける別のネットワークに接続された別のネットワークインターフェースを有するブリッジ装置であり、該ブリッジ装置により１つのネットワークに対して前記別のネットワークが連結され、
前記別のネットワークが、カスケードネットワーク又はリングネットワークの形状にケーブルにより連結された１又は複数の装置を含み、前記リング状伝送経路が該複数の装置に形成され、前記複数の装置の１つが、所定周期毎に伝送フレームを生成して該伝送フレームを前記伝送経路に送出するマスタノードとして動作し、複数のオーディオ信号と制御データとを搬送する前記伝送フレームが前記リング状伝送経路に沿って複数の装置の間を巡回し、或る装置が当該装置を通過している間にオーディオ信号を該伝送フレームに書き込み、別の装置は前記伝送フレームが当該別の装置を通過している間に前記オーディオ信号を該伝送フレームから読み出し、
前記ブリッジ装置が、前記１つのネットワーク及び前記別のネットワークのいずれか一方の伝送フレームから前記オーディオ信号及び前記制御データを読み出し、前記１つのネットワーク及び前記別のネットワークのいずれか他方の伝送フレームに前記オーディオ信号及び前記制御データを書き込み、前記制御装置が、前記伝送フレームを通じて該制御装置に送信されたコントロールに従って、前記リング状伝送経路上の前記複数の装置をリモート制御するものであり、
前記オーディオネットワークシステムにおいて、
前記別のネットワークの前記リング状伝送経路上にある複数の装置を検出し、且つ、前記ケーブルによるそれら複数の装置の連結順とを検出する第２検出部を更に備え、
前記表示部が、更に、前記検出された前記別のネットワークのリング状伝送経路上の複数の装置の画像を、前記ブリッジ装置の画像に１又は２のケーブル画像により連結して、該複数の装置の画像を連結するケーブル画像とともに、前記検出された連結順で、前記制御装置のディスプレイにグラフィカルに表示する
ことを特徴とする請求項１に記載のオーディオネットワークシステム。
【請求項６】
２つの装置毎の間の連結が一方向の方向性を持ち、一方の装置の第１端子が当該一方の装置の上流側に隣接する装置の第２端子に連結され、該一方の装置の第２端子が当該一方の装置の下流側に隣接する装置の第１端子に連結され、
前記表示部が、前記ケーブル画像のそれぞれを方向性とともに表示することを特徴とする請求項１に記載のオーディオネットワークシステム。
【請求項７】
前記表示部が、前記検出された１つのネットワークのリング状伝送経路上の複数の装置の画像を前記ディスプレイの第１領域に表示し、且つ、前記検出された別のネットワークのリング状伝送経路上の複数の装置の画像を前記ディスプレイの第２領域に表示することを特徴とする請求項５に記載のオーディオネットワークシステム。
【請求項８】
前記第１領域及び前記第２領域のいずれも、前記ディスプレイの水平方向に延びることを特徴とする請求項７に記載のオーディオネットワークシステム。
【請求項９】
前記ブリッジ装置は、別のネットワークを１つのネットワークにそのネットワークの拡張として結合するフルブリッジモード、又は、別のネットワークと１つのネットワークを、独立したネットワークとして結合するパーシャルブリッジモードとのいずれかに設定され、
前記表示部は、前記ブリッジ装置がフルブリッジモードに設定されている場合、前記検出された前記別のネットワークのリング状伝送経路上の複数の装置の画像を表示し、また前記ブリッジ装置がパーシャルブリッジモードに設定されている場合には、前記検出された前記別のネットワークのリング状伝送経路上の複数の装置の画像の代わりに、パーシャルブリッジ画像を表示することを特徴とする請求項５に記載のオーディオネットワークシステム。
【請求項１０】
前記第２検出部は、前記ブリッジ装置がフルブリッジモードに設定されている場合にのみ、前記別のネットワークの前記リング状伝送経路上の複数の装置と、その連結順を検出するものであることを特徴とする請求項９に記載のオーディオネットワークシステム。
【請求項１１】
前記第１検出部は、前記１つのネットワークのリング状伝送経路上の複数の装置と、その連結順を、該１つのネットワークの前記リング状伝送経路上の複数の装置の協働により、検出するものであり、
前記複数の装置の協働は、
前記複数の装置の１つにおいて、装置リストを準備する準備手順と、
前記複数の装置のそれぞれにおいて、その装置に隣接する装置の情報、又は、前記１つのネットワークの前記リング状伝送経路上のその装置の位置の情報を検出する検出手順と、
前記複数の装置のそれぞれにおいて、前記検出された情報を前記複数の装置の１つに通知する通知手順と、
前記複数の装置の１つにおいて、前記複数の装置のそれぞれから通知された情報に従って、前記１つのネットワークのリング状伝送経路上の複数の装置の情報を、該複数の装置が前記ケーブルによって連結されている連結順で、前記準備した装置リストに書き込む書き込み手順
からなるものであることを特徴とする請求項１に記載のオーディオネットワークシステム。
【発明の詳細な説明】
【技術分野】
【０００１】
この発明は、複数ネットワークからなるオーディオネットワークシステムに関し、詳しくはネットワークを構成する装置の接続態様の表示に関する。
【背景技術】
【０００２】
従来から、複数のノード間でオーディオ信号の伝送を行うオーディオネットワークが知られていた。このようなオーディオネットワークの例としては、以下の非特許文献１，２に記載のような、ＣｏｂｒａＮｅｔ（商標）、ＥｔｈｅｒＳｏｕｎｄ（商標）が知られている。
【０００３】
例えば、下記特許文献１には、オーディオネットワークを構成する複数のノードの接続形態として、各ノードを、端部を有する１本のラインのような形態に接続するカスケード状の接続形態、及び、カスケードの両端部をループしたリング状の接続形態が開示されている。特許文献１のオーディオネットワークは、カスケード状又はリング状に接続されたノード間に形成された伝送経路に、複数チャンネルのオーディオ信号を含む伝送フレームを巡回させることで、各ノード間でオーディオ信号を送受信できた。ネットワークにおいてオーディオ信号を送受信するために必要なサンプルタイミングの制御については、例えば下記特許文献２に開示されている。また、リング状に接続されたオーディオネットワークにおいては、リダンダンシの動作を行うことによりネットワークの信頼性を高めることができる（下記特許文献３を参照）。
【先行技術文献】
【特許文献】
【０００４】
【特許文献１】特開２００９‐０９４５８９号公報
【特許文献２】特開２００８‐０７２３４７号公報
【特許文献３】特開２００７‐２５９３４７号公報
【非特許文献】
【０００５】
【非特許文献１】「CobraNet(TM)」、[online]、バルコム株式会社、［平成２２年３月７日検索］、インターネット＜ＵＲＬ：http://www.balcom.co.jp/cobranet.htm＞
【非特許文献２】Carl Conrad、「EtherSound(TM) in a studio environment」、[online]、Digigram S.A.、［平成２２年３月７日検索］、インターネット＜ＵＲＬ：http://www.ethersound.com/news/getnews.php?enews_key=101＞
【発明の概要】
【発明が解決しようとする課題】
【０００６】
従来の１又は複数のネットワークからなるネットワークシステムにおいては、物理的・電気的に接続された複数の装置の構成が、そのままネットワークシス テムの構成となっていた。すなわち、ある装置間が物理的・電気的に接続され通信可能な状態になっていれば、これら装置間でオーディオ信号を伝達させることが可能である。
ところで、オーディオネットワークシステムの規模が大となる場合、ケーブル接続断等が発生した場合であってもオーディオ信号の伝達を継続可能としたり（耐障害性）、個別に構築した複数のシステムを結合して１つのオーディオネットワークシステムを形成したり（拡張性）することが要求される。従来のオーディオネットワークシステムでは、装置検出手順あるいはユーザインタフェースは、物理的・電気的な接続とオーディオ信号の伝送路とが同一である ことを前提としたものであるため、耐障害性・拡張性の点については十分配慮されていなかった。
すなわち耐障害性・拡張性を担保したオーディオネットワークシステムでは、物理的・電気的に接続された複数の各機器の設定や動作状況に応じて、物理的・電気的接続状況と、実際の稼動状況（オーディオ信号の伝達範囲）とが異なることが考えられるが、従来のオーディオネットワークシステムのため装置検出手順あるいはユーザインタフェースでは、この実際の稼動状況をユーザが容易に確認することができない。
【０００７】
この発明は、上記の点に鑑みてなされたもので、耐障害性・拡張性を備えたオーディオネットワークシステムにおいて、当該システムの実際の稼働状況を、ユーザが容易に確認できるようにしたオーディオネットワークシステム及び、オーディオネットワークシステムにおける伝送フレームの伝送経路を表示するための表示方法を提供することを目的とする。
【課題を解決するための手段】
【０００８】
この発明は、カスケードネットワーク状またはリングネットワーク状にケーブルにより連結された１又は複数の装置と、前記装置の１つに接続される、又は、前記装置の１つに備わる制御装置とを含む少なくとも１つのネットワークからなるオーディオネットワークシステムであって、前記装置が、それぞれ、第１端子及び第２端子を備えるネットワークインターフェースを少なくとも１つ有し、前記カスケードネットワークとは、第１の装置の前記ネットワークインターフェースの前記第２端子と、第２の装置の前記ネットワークインターフェースの前記第１端子との間をケーブルを用いて連結し、該第２の装置の前記ネットワークインターフェースの前記第２端子と、第３の装置の前記ネットワークインターフェースの前記第１端子とをケーブルを用いて連結することの連鎖より形成されるものであり、また、前記リングネットワークとは、前記カスケードネットワークの終端の装置のネットワークインターフェースの第２端子と、該カスケードネットワークにおける先端の装置のネットワークインターフェースの第１端子とをケーブルを用いて連結することにより形成されるものであり、前記オーディオネットワークシステムにおいて、カスケー又はリングネットワーク状に連結された複数の装置を巡るリング状伝送経路を形成する経路形成部と、前記装置の１つをマスタノードとして指定する指定部であって、該マスタノードに指定された装置が所定周期毎に伝送フレームを生成して該伝送フレームを前記伝送経路に送出し、複数のオーディオ信号と制御データとを搬送する前記伝送フレームが前記リング状伝送経路に沿って前記複数の装置の間を巡回するものである指定部と、１つの装置を送信元として指定し、且つ、別の装置を受信先として指定するオーディオ信号経路制御部であって、送信元に指定された前記装置は前記伝送フレームが当該装置を通過している間にオーディオ信号を該伝送フレームに書き込み、受信先に指定された前記装置は前記伝送フレームが当該装置を通過している間に前記オーディオ信号を該伝送フレームから読み出すものであるオーディオ信号経路制御部と、前記巡回する伝送フレームを通じて前記制御装置から前記各装置に制御データを送信して、前記制御データに従って前記装置を制御する制御部とを備えており、前記経路形成部は、前記リング状伝送経路が既に形成された複数の装置であってカスケード接続された前記複数の装置のうちの端部の装置を使って、カスケー又はリングネットワーク状に連結された複数の装置のそれぞれと交渉し、前記装置からの応答が肯定であった場合に該装置を前記リング状伝送経路に組み込み、前記オーディオネットワークシステムは、更に、前記１つのネットワークの前記リング状伝送経路上にある複数の装置と、該複数の装置が前記ケーブルによって連結されている接続順とを検出する第１検出部と、前記検出された前記１つのネットワークの前記リング状伝送経路上の装置の画像を、該複数の装置の画像を連結するケーブル画像とともに、前記検出された接続順で、前記制御装置のディスプレイにグラフィカルに表示する表示部とを備えることを特徴とする。
【０００９】
また、この発明のオーディオネットワークシステムは、前記リング状伝送経路上の少なくとも１つの装置が、当該オーディオネットワークシステムにおける別のネットワークに接続された別のネットワークインターフェースを有するブリッジ装置であり、該ブリッジ装置により１つのネットワークに対して前記別のネットワークが連結され、前記別のネットワークが、カスケードネットワーク又はリングネットワークの形状にケーブルにより連結された１又は複数の装置を含み、前記リング状伝送経路が該複数の装置に形成され、前記複数の装置の１つが、所定周期毎に伝送フレームを生成して該伝送フレームを前記伝送経路に送出するマスタノードとして動作し、複数のオーディオ信号と制御データとを搬送する前記伝送フレームが前記リング状伝送経路に沿って複数の装置の間を巡回し、或る装置が当該装置を通過している間にオーディオ信号を該伝送フレームに書き込み、別の装置は前記伝送フレームが当該別の装置を通過している間に前記オーディオ信号を該伝送フレームから読み出し、前記ブリッジ装置が、前記１つのネットワーク及び前記別のネットワークのいずれか一方の伝送フレームから前記オーディオ信号及び前記制御データを読み出し、前記１つのネットワーク及び前記別のネットワークのいずれか他方の伝送フレームに前記オーディオ信号及び前記制御データを書き込み、前記制御装置が、前記伝送フレームを通じて該制御装置に送信されたコントロールに従って、前記リング状伝送経路上の前記複数の装置をリモート制御するものであり、前記オーディオネットワークシステムにおいて、前記別のネットワークの前記リング状伝送経路上にある複数の装置を検出し、且つ、該複数の装置が前記ケーブルによって連結されている接続順を検出する第２検出部を更に備え、前記表示部が、更に、前記検出された前記別のネットワークのリング状伝送経路上の複数の装置の画像を、前記ブリッジ装置の画像に１又は２のケーブル画像により連結して、該複数の装置の画像を連結するケーブル画像とともに、前記検出された接続順で、前記制御装置のディスプレイにグラフィカルに表示するよう構成できる。
【発明の効果】
【００１０】
本発明によれば、複数のカスケード状又はリング状に連結された装置のうちの、オーディオ信号を載せた、同じ伝送フレームが巡回する伝送経路上にある装置を、制御装置の表示手段に、その物理的な接続順に表示するようにしたので、ユーザは、オーディオネットワークシステムとして制御対象となっている装置の範囲、および物理的接続を、簡単に確認できるようになるという優れた効果を有する。ユーザは、この表示によって所望の伝送経路が形成されているか確認し、形成されていない場合には、問題となっている装置を特定し、その装置の設定や物理的接続を変更することができる。
また、複数の装置がリング状に連結されている場合には、伝送フレームが巡回する伝送経路が、そのリングに沿ってループ形態になっているか、或いは、途中の装置で折り返されカスケード形態になっているかを、確認することができる。
また、２つのネットワークが１つの装置によって相互に接続されている場合には、その装置が、２つのオーディオネットワークを拡張された１つのオーディオネットワークとして接続（フルブリッジ）しているのか、２つの独立したオーディオネットワークとして接続（パーシャルブリッジ）しているのか、或いは、見た目が接続されているだけでオーディオネットワークとしては何の接続（ブリッジ）も行われていないのかを、確認することができる。
【図面の簡単な説明】
【００１１】
【図１】複数のネットワークからなるオーディオネットワークシステムの全体の接続例を示す図。
【図２】本発明に係るオーディオネットワークシステム中の１つのネットワークであるミキシングシステムの構成例を示すブロック図。
【図３】図２のミキシングシステムを構成する各装置の電気的ハードウェア構成を示すブロック図であって、（ａ）はコンソール、（ｂ）はエンジン、（ｃ）はＩ／Ｏ装置。
【図４】図３のネットワークＩ／Ｏに接続される接続ケーブルを説明する図。
【図５】（ａ）はネットワークを伝送される伝送フレームの構成例、（ｂ）は音声信号領域に対する伝送チャンネル割り当てを説明する図、（ｃ）は（ｂ）のＮ伝送ｃｈ割り当てとネットワーク中のノードの対応付けを示す図。
【図６】図１のオーディオネットワークシステムに関するオーディオネットワークビュー画面表示例。
【図７】各装置が有するデバイスリスト。
【図８】ネットワークビュー表示操作を受けたときの処理を説明するフローチャート。
【図９】下段表示処理を説明するフローチャート。
【図１０】各装置において隣接する装置を新規に検出した時の処理
【図１１】各装置において隣接する装置の消滅を検出した時の処理
【図１２】各装置においてデバイスリスト更新内容を受信したときの処理
【図１３】（ａ）〜（ｃ）は、装置の組み込みによるネットワーク構成の変化を説明する図。
【図１４】（ａ），（ｂ）は、ループによるネットワーク構成の変化を説明する図。
【図１５】（ａ），（ｂ）は、装置の消滅によるネットワーク構成の変化を説明する図。
【発明を実施するための形態】
【００１２】
以下に、本発明のオーディオネットワークシステムについて、添付図面を参照して、説明する。
【００１３】
図１は、物理的に接続されており、かつ、伝送フレームで通信可能な全てのネットワークの構成を示す。この全てのネットワークの上には、オーディオネットワークシステム１００を含む、４つのオーディオネットワークシステムが形成されている。各ネットワークシステムは、１又は複数のネットワークにより構成され、各ネットワークには、１又は複数のデバイスが接続される。図１では、システム１００は、後述する「フルブリッジ」により相互に接続された４つのネットワーク１、５０、５１及び５２（図１において点線で囲んだ範囲）で構成されており、他の３つのシステムｘ、ｙ、ｚは、それぞれ、１つのネットワークで構成されている。そして、４つのオーディオネットワークシステムは、後述する「パーシャルブリッジ」により相互に接続される。図１では、１つの接続用ネットワークで、システム１００とシステムｘとが接続されており、もう一つの接続用ネットワークで、システム１００とシステムｙとシステムｚとが接続されている。
【００１４】
図１のネットワーク１、５０、５１、５２、５３他は、それぞれ、カスケード状又はリング状に接続された複数のノード（装置）により構成される。図１に描かれた複数のブロックは各ネットワークを構成するノード（装置）であり、各ブロック間を結ぶ線Ｌはノード間の接続ケーブルを示す。１つのネットワークを構成する各ノード（装置）間には、複数チャンネルのオーディオ信号を含む伝送フレームの伝送経路が形成され、伝送経路を巡回する伝送フレームにより複数のノード間でオーディオ信号等のデータが送受信される。後述するように、ノードは、それぞれ、１又は２のネットワークに接続するための１又は２のインターフェースを有しており、その各インターフェースは、接続ケーブルを接続するための方向性を有する２つの端子を有する。一つは上流側のノードに接続するための上流側端子であり、もう一つは下流側のノードに接続するための下流側端子である。図１中の各ネットワークには、上流から下流へ向かう方向への矢印が付加されている。
【００１５】
図２は、図１のネットワークシステム１００を構成する１つのネットワーク１の構成例を示す。このネットワーク１に接続された複数装置を、システム１００の一部という意味で「サブシステム１」と呼ぶことにする。サブシステム１は、２台のコンソール（ＣＳ１，ＣＳ２）２，３と、２台の信号処理エンジン（ＤＳＰ＿Ａ、ＤＳＰ＿Ｂ）４，５と、３台の入出力装置（ＩＯ１，ＩＯ２及びＩＯ３）６、７及び８からなる。システム１００は、コンソール（ＣＳ１、ＣＳ２）２、３による制御に基づいて、入出力装置（ＩＯ１〜ＩＯ８）６、７及び８から入力された複数のオーディオ信号を、信号処理エンジン４、５で信号処理（特性の制御やミキシングなど）して、その信号処理結果（出力信号）を、入出力装置（ＩＯ１〜ＩＯ８）６、７及び８から出力する動作を行う。なお、システム１００に２つの信号処理エンジン（ＤＳＰ＿Ａ、ＤＳＰ＿Ｂ）４，５が具備されているのは、ミラーリング動作を行うためであり、いずれも同じ信号処理を行うものの、一方（稼動系）からの出力信号のみが通常時に入出力装置（ＩＯ１〜ＩＯ８）から出力され、他方（待機系）からの出力信号は出力されない。稼動系に異常が生じて正常な出力信号が出力されなくなったとき、待機系からの出力信号が入出力装置から出力される。
【００１６】
《コンソールの構成》
図３（ａ）は、コンソール２，３の電気的ハードウェア構成例を示す。コンソール２，３は、ユーザによる操作に基づいて、ミキシングシステム内の各装置の動作をリモート制御する制御装置であって、ＣＰＵ（Central Processing Unit、中央処理装置）１０、ＲＯＭ（Read Only Memory）及びＲＡＭ（Random Access Memory、ランダムアクセスメモリ）からなるメモリ１１、ＰＣインターフェース（ＰＣ＿Ｉ／Ｏ）１２、オーディオインターフェース（Ａ＿Ｉ／Ｏ）１３、２つのネットワークＩ／Ｏ（Ｎ＿Ｉ／Ｏ）１４及び１５、パネル表示部（Ｐ表示部）１６、パネル操作子（Ｐ操作子）１７、電動フェーダ１８を備え、各構成要素がＣＰＵバス１０Ｂを介して接続される。また、Ａ＿Ｉ／Ｏ１３、及びＮ＿Ｉ／Ｏ１４，１５はオーディオバス（信号ルーティング）１９を介して接続される。
【００１７】
ＣＰＵ１０は、メモリ１１に記憶された制御プログラムを実行して、コンソールの全体動作を制御する。メモリ１１は、ＣＰＵ１０が実行するプログラムのロード領域やワーク領域に使用される。
また、メモリ１１には、当該システム１００の範囲（当該コンソールによるリモート制御の範囲）にある各装置の現在の動作パラメータと同じデータ構成の動作パラメータ（各装置のパラメータ）を記憶したカレントメモリの領域、及び、後述するデバイスリストを記憶する領域等が設けられている。なお、システムの稼働中は、コンソールのカレントメモリの各装置のパラメータは、従来から知られる技術により、リモート制御対象の各装置内のカレントメモリに記憶されている動作パラメータとの間で同期している（動的に一致している）。すなわち、コンソールでのユーザ操作に応じて、コンソールのカレントメモリに記憶されたある装置のパラメータの値が変更されると、その変更がネットワークを介してその装置に伝達され、その装置のカレントメモリに記憶された動作パラメータの値が同様にリモートで変更される。逆に、ある装置でのユーザ操作等に応じて、その装置のカレントメモリに記憶された動作パラメータの値が変更されると、その変更を示す制御データがネットワークを介してコンソールに伝達され、コンソールのカレントメモリに記憶されたその装置のパラメータが同様にリモートで変更される。
【００１８】
Ｐ表示部１６、Ｐ操作子１７及び電動フェーダ１８は、当該コンソールの操作パネル上に設けられたユーザインタフェースである。Ｐ表示部１６は、ＣＰＵ１０からバス１０Ｂを介して与えられた表示制御信号に基づいて各種画面を表示し、また、画面に表示された情報に基づく命令をユーザから受け付ける。Ｐ操作子１７は、操作パネル上に配置された操作子群である。電動フェーダ１８は、フェーダ型の操作子であり、ユーザが操作できるとともに、ＣＰＵ１０から与えられる駆動制御信号に基づいて操作位置が自動制御される。ＣＵＰ１０は、Ｐ表示部１６、Ｐ操作子１７及び電動フェーダ１８に対するユーザの操作に応じて、パラメータの値を調整する。本明細書において「パラメータの値を調整する」とは、コンソールのカレントメモリに記憶されている動作パラメータのうちの、当該操作された操作子に割り当てられている或る装置の或るパラメータの値を、当該操作に応じた値に変更し、その装置がコンソール自身でない場合は、その変更をネットワーク越しにその装置に通知して、その装置のカレントメモリに記憶されているパラメータの値を同様にリモートで変更することである。各装置が備えているハードウェア、すなわち、各種オーディオ信号処理ブロック（後述する、Ａ＿Ｉ／Ｏ、Ｎ＿ＩＯ、ＤＳＰ部）やＰＣ＿Ｉ／Ｏ等の動作は、その装置のカレントメモリに記憶されている動作パラメータに応じて制御される。また、各装置のユーザインタフェースには、その装置のカレントメモリに記憶された動作パラメータに応じた表示が行われる。
【００１９】
Ａ＿Ｉ／Ｏ１３は、複数ｃｈのオーディオ信号を入出力するためのインターフェースであって、アナログオーディオ信号やデジタルオーディオ信号を外部機器から入力するための複数の入力ポート、アナログオーディオ信号やデジタルオーディオ信号を外部機器へ出力するための複数の出力ポートを含む。さらに、アナログデジタル変換（ＡＤ変換）、デジタルアナログ変換（ＤＡ変換）、及びデジタル変換（フォーマット変換）を行うための機構を含む。また、各入力ポートが外部からオーディオ信号を入力する際の音量レベルや、該オーディオ信号をオーディオバスへ出力するＬ伝送チャンネル、各出力ポートがオーディオバスからオーディオ信号を取り込むＬ伝送チャンネルや、該オーディオ信号を外部へ出力する際の音量レベル等は、当該装置（この場合はコンソール）のカレントメモリに記憶された各対応するパラメータにより制御される。
【００２０】
第１Ｎ＿Ｉ／Ｏ１４及び第２Ｎ＿Ｉ／Ｏ１５は、当該装置をオーディオネットワークに接続するインターフェースであり、オーディオネットワーク経由の伝送フレームの送受信、該伝送フレームからの必要なオーディオ信号（波形データ）及び制御データを含む各種データの読み出し、該伝送フレームに対する波形データ及び制御データを含む各種データの書き込み、オーディオバス１９を介した波形データの送受信、及び、ＣＰＵバス１０Ｂを介した制御データ等の送受信を行うために必要な機構を有する。また、各Ｎ＿Ｉ／Ｏ１４，１５が、伝送フレームからオーディオ信号を読み出す際のＮ伝送チャンネルや、該読み出したオーディオ信号をオーディオバスへ出力するＬ伝送チャンネルや、オーディオバスからオーディオ信号を取り込む際のＬ伝送チャンネルや、該取り込んだオーディオ信号を伝送フレームに書き込む際のＮ伝送チャンネル等は、当該装置（この場合はコンソール）のカレントメモリに記憶された各対応するパラメータにより制御される。
【００２１】
第１Ｎ＿Ｉ／Ｏ１４及び第２Ｎ＿Ｉ／Ｏ１５は、それぞれ、オーディオネットワーク用の接続ケーブルを接続する上流側と下流側の２つの端子を有している。それぞれの端子は、図３において互いに逆向き１対の矢印により示すように、当該端子に接続された１つの装置との間で伝送フレームを双方向で送受信できるよう構成されている。第１Ｎ＿Ｉ／Ｏ１４及び第２Ｎ＿Ｉ／Ｏ１５を介した装置の接続及びネットワークの接続の詳細は後述する。
【００２２】
オーディオバス１９は、Ａ＿Ｉ／Ｏ１３及び２つのＮ＿Ｉ／Ｏ１４、１５の間で、複数チャンネルのデジタルオーディオ信号（波形データ）を、サンプリング周期毎に、１サンプルずつ時分割伝送するローカルバスである。なお、Ａ＿Ｉ／Ｏ１３及び２つのＮ＿Ｉ／Ｏ１４、１５は、ワードクロックを用いた周知の技術により、波形データを処理するタイミングを同期する。すなわち、Ａ＿Ｉ／Ｏ１３及び２つのＮ＿Ｉ／Ｏ１４、１５のいずれか１つがワードクロックマスタに設定され、該ワードクロックマスタ以外がワードクロックスレーブに設定される。ワードクロックマスタがワードクロックを発生し、ワードクロックスレーブは、ワードクロックマスタにより発生されたワードクロックに同期したタイミングでワードクロックを生成し、生成されたワードクロックに基づくサンプリング周期のタイミングで波形データを処理する。
【００２３】
また、コンソール２，３は、ＰＣ＿Ｉ／Ｏ１２を介してパーソナルコンピュータ（ＰＣ）を外部接続できる。ＰＣ＿Ｉ／Ｏ１２を介してコンソール２又は３に接続されたＰＣは、ネットワーク１の各装置の動作をリモート制御するための制御装置として使用できる。なお、ＰＣは、ＣＰＵ、ＲＯＭ、ＲＡＭ、ディスプレイ、マウス操作子及びキーボード等を具備する汎用コンピュータである。
【００２４】
《エンジンの構成》
図３（ｂ）はエンジン４，５の構成例を示しており、１つのエンジンは、ＣＰＵ２０、メモリ（ＲＯＭ及びＲＡＭ）２１、ＰＣ＿Ｉ／Ｏ２２、Ａ＿Ｉ／Ｏ２３、２つのＮ＿ＩＯ２４及び２５、信号処理部（ＤＳＰ部）２６、及び簡易ユーザインタフェース（簡易ＵＩ）２７を含み、各部がＣＰＵバス２０Ｂを介して接続される。また、Ａ＿Ｉ／Ｏ２３、Ｎ＿Ｉ／Ｏ２４、及びＤＳＰ部２がオーディオバス（信号ルーティング）２８を介して接続される。ＣＰＵ２０は、メモリ（ＲＯＭ及びＲＡＭ）２１に記憶された制御プログラムを実行して、エンジン４，５の全体動作を制御する。エンジン４，５のメモリ２１には、先述した動作パラメータを記憶するカレントメモリの領域やデバイスリストを記憶する領域の他に、ＤＳＰ部２６のマイクロプログラム等、当該エンジンの動作に必要な各種データを記憶する。また、簡易ＵＩ２７は、電源スイッチや。また、メモリ２１には、後述するデバイスリストを記憶する領域が設けられている。また、簡易ＵＩ２７は、電源スイッチや動作チェック用のＬＥＤインジケータなどである。
【００２５】
ＤＳＰ部２６は、ＣＰＵ２０の指示に基づいて、各種のマイクロプログラムを実行し、オーディオ信号に対して各種のデジタル信号処理を施す。すなわち、当該装置（この場合はエンジン）のカレントメモリに記憶された対応するパラメータの値に基づいて、ＤＳＰ部２６は、オーディオバスの指定されたＬ伝送チャンネルからオーディオ信号を取り込み、該取り込んだオーディオ信号に対してデジタル信号処理を施し、処理済のオーディオ信号をオーディオバスの指定されたＬ伝送チャンネルへ出力する。ＤＳＰ部２６が実行する信号処理は、ミキシング処理、効果付与処理及び音量レベル制御処理等である。ＤＳＰ部２６の信号処理結果（出力信号）は、オーディオバス２８を介しＡ＿Ｉ／Ｏ２３及びＮ＿Ｉ／Ｏ２４，２５へ送信される。ＤＳＰ部２６は、１つのＤＳＰ（Digital Signal Processor）で構成してもよいし、バスで相互接続された複数のＤＳＰで構成し、複数のＤＳＰで信号処理を分散処理するようにしてもよい。
【００２６】
また、Ａ＿Ｉ／Ｏ２３、Ｎ＿Ｉ／Ｏ２４，２５、及びオーディオバス２８は、図３（ａ）の対応する構成要素と同様に構成される。また、ＰＣ＿Ｉ／Ｏ２２を介してエンジン４，５にＰＣを接続できる。図２のサブシステム１では、エンジン４（ＤＳＰ＿Ａ）にＰＣ１１０が接続されている。
【００２７】
《入出力装置の構成》
図３（ｃ）は入出力装置６，７，８の構成例を示す。入出力装置は、ＣＰＵ３０、メモリ（ＲＯＭ及びＲＡＭ）３１、ＰＣ＿Ｉ／Ｏ３２、Ａ＿Ｉ／Ｏ３３、第１Ｎ＿Ｉ／Ｏ３４、第２Ｎ＿Ｉ／Ｏ３５、及び、簡易ユーザインタフェース（簡易ＵＩ）３６を備え、各部がＣＰＵバス３０Ｂを介して接続される。また、Ａ＿Ｉ／Ｏ３３、第１Ｎ＿Ｉ／Ｏ３４、及び第２Ｎ＿Ｉ／Ｏ３５がオーディオバス（信号ルーティング）３７を介して接続される。ＣＰＵ２０、及びメモリ（ＲＯＭ及びＲＡＭ）２１は、入出力装置の全体動作を制御する制御部である。また、メモリ２１には、先述した動作パラメータを記憶するカレントメモリの領域やデバイスリストを記憶する領域が設けられている。簡易ＵＩ２５は、簡易な表示器と幾つかの操作子群である。
【００２８】
Ａ＿Ｉ／Ｏ３３、２つのネットワークＩ／Ｏ（第１Ｎ＿Ｉ／Ｏ３４及び第２Ｎ＿Ｉ／Ｏ３５）及び信号ルーティング２８は、図３（ａ）の対応する構成要素と同様に構成される。入出力装置６，７，８は、オーディオ信号の入出力機能を担う装置であり、Ａ＿Ｉ／Ｏ３３として多数のオーディオ信号入出力ポートを有している。また、ＰＣ＿Ｉ／Ｏ３２を介して各入出力装置６，７，８にＰＣを接続できる。
【００２９】
《装置間の接続》
各装置２〜８は、それぞれ、１つのＮ＿Ｉ／Ｏ（１４，１５，２４，２５，３４及び３５）が有する上流側の端子に接続された接続ケーブルにより、当該装置の上流側の１つの装置に対して接続でき、また、下流側の端子に接続された接続ケーブルにより、当該装置の下流側の１つの装置に対して接続できる。例えば、図２において、ＣＳ１は、上流側のＣＳ２と下流側のＩＯ１とに接続されている。７つの装置２〜８の互いに隣接するもの同士が順次接続ケーブルで連結されることで、７つの装置２〜８をカスケード状又はリング状に接続してなる１つのネットワーク（サブシステム１）が形成される。
【００３０】
図２において、装置２〜８を、エンジン４（ＤＳＰ＿Ａ）と入出力装置８（ＩＯ３）を端部とする、１本のラインのような形態で、物理的に接続するカスケード状の接続形態が、実線で示されている。隣り合う２つの装置間を接続する接続ケーブルは、例えば、図４に例示するように、１本で伝送フレームを双方向通信できる構成とする。この場合、カスケード接続の端部以外の各装置は、あるＮ＿Ｉ／Ｏの一方の端子で受信した伝送フレームを内部で折り返さず同じＮ＿Ｉ／Ｏの他方の端子から送信するよう動作（ストレート転送）し、また、端部の各装置は、あるＮ＿Ｉ／Ｏの一方の端子で受信した伝送フレームを内部で折り返して同じＮ＿Ｉ／Ｏの同じ端子から送信するよう動作（折り返し転送）するので、装置２〜８の隣り合う各２つの装置間を１本の接続ケーブルでカスケード接続するだけで、伝送フレームＴＦが全ての装置２〜８の間を巡回するリング状の伝送経路ＴＲを、形成できる。１つのネットワーク（ここではネットワーク１）において、カスケー又はリングネットワーク状に連結された複数の装置２〜８を巡るリング状伝送経路ＴＲを形成する構造が経路形成部である。この伝送経路ＴＲが形成された状態を、「カスケード」と呼ぶことにする。なお、図２において伝送経路ＴＲの矢印は伝送フレームＴＦの流れる方向を示している。図２において、各装置は、装置を通過する伝送フレームの伝送経路ＴＲの上側において、伝送フレームからの各種データの読み出し、又は、伝送フレームへの各種データの書き込みを行う。すなわち、前記カスケードの端部以外の各装置は、伝送フレームが上流側から下流側へ通過するときに、伝送フレームへのデータの読み書きを行い、前記端部の各装置は、下流側へ送信するとき、又は、上流側から受信したときに、伝送フレームへのデータの読み書きを行う。
【００３１】
また、カスケード両端のエンジン４（ＤＳＰ＿Ａ）と入出力装置８（ＩＯ３）を接続ケーブルで結ぶことで、装置２〜８を、端部を有さない１つのリングのような形態で、物理的に接続できる。カスケードの両端の装置が接続されたとき、該両端の装置は、カスケードの端部の装置の動作（折り返し転送）を中止し、端部以外の装置と同じ動作（ストレート転送）を開始することにより、リング状に接続された複数の装置上には、図２において一点鎖線で示すように、伝送フレームを伝送するリング状の伝送経路ＴＲが２重に形成される。この状態を、「ループ」と呼ぶことにする。ループにおいては、隣り合う各２つの装置間は、双方向通信可能な接続ケーブルを用いて接続されており、ループ内の各装置は、一方のＮ＿Ｉ／Ｏで受信した伝送フレームを内部で折り返さず他方のＮ＿Ｉ／Ｏから送信するよう動作（ストレート転送）している。この場合、リング状に接続された装置のうちの任意の２装置間の接続が切断されたとしても、その切断箇所の両側の装置が、それぞれ、カスケードの端部の装置の動作（折り返し転送）を開始することにより、上述した「カスケード」の形態に移行することができ、伝送フレームの巡回を維持しうるので、ネットワークの安全性及び信頼性が高まる。なお、リングにおける各装置は、伝送フレームへの各種データの読み書きを、伝送フレームがその装置を上流側から下流側へ通過するときに行うが、この動作は、カスケードにおける端部以外の装置と全く同様である。
【００３２】
《マスタノード》
１つのネットワーク（サブシステム１）内の複数の装置２〜８のうちいずれか１つ（図２では、「ＩＯ２」）が、そのネットワークの「マスタノード」となる。この構成が、装置２〜８の１つをマスタノードとして指定する指定部に相当する。マスタノードは、所定のサンプリング周波数の１サンプリング周期毎に伝送フレームＴＦを作成して、作成された伝送フレームＴＦをネットワーク上に送出する動作を行う。マスタノード以外の装置は全てスレーブノードとなり、それぞれ、伝送経路ＴＲの上流から伝送フレームを受信しつつ、伝送経路ＴＲの下流へ転送する転送処理を行う。すなわち、マスタノードが伝送経路ＴＲにおける最上流のノードとなり、伝送経路ＴＲを伝送フレームが巡回し、最終的には最下流のノード（図２では「ＩＯ３」）からマスタノードに伝送フレームが帰還する。
【００３３】
また、マスタノードは、ネットワーク内の各装置２〜８において波形データを処理するサンプリング周期のタイミングを同期させるワードクロックのワードクロックマスタとなる。各スレーブノードは、１つの伝送フレームＴＦの受信を開始したタイミングに同期して、波形データを処理するサンプリング周期を規定する信号であるワードクロックを発生することで、波形データの処理タイミングを、マスタノードにおけるサンプリング周期（ワードクロック）のタイミングに同期させる。
【００３４】
《伝送フレームの構成》
図５（ａ）は、オーディオネットワークで伝送される伝送フレームの構成例を示す。伝送フレームは、イーサネット（登録商標）のフレーム形式に準拠しており、プリアンブル４０、管理データＣＤ記憶領域４１、音声信号領域４２、イーサネット（登録商標）データ領域４３、ＩＴＰ領域４４、メータ領域４５、ＮＣ領域４６、及び、フレームチェックシークエンス（ＦＣＳ）領域４７からなる。なお、図５（ａ）において、図面左側がフレームの伝送方向の前方、すなわち、伝送フレームの先頭となる。
【００３５】
プリアンブル４０には、ＩＥＥＥ（Institute of Electrical and Electronic Engineers）８０２．３で規定されるプリアンブルとともに、ＳＦＤ（Start Frame Delimiter）、宛先アドレス、送信元アドレス、或いは当該伝送フレームの長さ等を記憶する。ＣＤ記憶領域４１は、当該伝送フレームに含まれるデータを管理するデータ（伝送フレームの番号やサンプル遅れ値など）を記憶する。音声信号領域４２は、複数の伝送チャンネル（例えば２５６チャンネル）を有し、各伝送チャンネルに波形データを１サンプルずつ記憶する。
【００３６】
イーサネット（登録商標）データ領域４３は、各装置がイーサネット（登録商標）形式のフレームデータを書き込む領域であって、例えば、制御装置（コンソール２，３又はＰＣ）により書き込まれたリモート制御用の制御データや、各装置の接続状況や動作状況の情報等のデータを記憶する。なお、イーサネット（登録商標）データ領域４３よりもサイズの大きいフレームデータを伝送する場合、周知の技術により、送信側は複数に分割しデータを複数の伝送フレームに分けて伝送し、受信側は複数の伝送フレームから取り出した複数のデータを所定の順番に結合し、分割前のフレームデータを復元する。伝送フレームを通じて制御装置から前記各装置に制御データを送信して、制御データに従って各装置を制御する構造が特許請求範囲の制御部である。ＩＴＰ領域４４は、隣接するノード間でのコマンド及びコマンドに対する応答の伝送に使用する。メータ領域４５はレベル表示メータ用のデータを記憶する。ＮＣ領域４６はネットワーク構成を示すデータを記憶する。ＦＣＳ４７は、ＩＥＥＥ８０２．３で規定されたフレームのエラーを検出するエラーチェックコードデータを記憶する。本ネットワークでは複数機器を巡回する伝送フレームによって、オーディオ信号と制御データとが伝達される。従って、１つのネットワークに注目すると、オーディオ信号が伝達される範囲と、制御データが伝達される範囲とが、相互に同じになる。オーディオ信号が届くのに、制御データが届かないという状況は起こり得ない。
【００３７】
１つの伝送フレームのサイズを、サンプリング周期やネットワークの通信速度（伝送帯域幅）等の条件に基づき適切に設定することで、伝送フレーム全体を、１サンプリング周期内で、伝送経路ＴＲ（ネットワーク内の全ての装置を通る経路）を一巡させることができる。
【００３８】
《Ｎ伝送ｃｈに対する割り当て》
図５（ｂ）は音声信号領域４２の複数のＮ伝送ｃｈに対する装置Ａ〜Ｅの割り当て例であり、（ｃ）は装置Ａ〜Ｅからなるネットワーク構成例である。（ｃ）において、カスケード接続された装置Ａ〜Ｅからなるネットワークが示されている。装置Ｄがマスタノードであり、カスケード接続の端部の装置Ａと装置Ｅが伝送フレームの折り返し端部となるループバック（ＬＢ）に設定される。マスタノードＤで作成された伝送フレームは下流側の装置Ｅへと送信され、Ｄ→Ｅ（ＬＢ）→Ｄ→Ｃ→Ｂ→Ａ（ＬＢ）→Ｂ→Ｃ→Ｄという順番で全ての装置Ａ〜Ｄを通過するリング状の伝送経路を巡回する。先述したように、各装置による伝送フレームへのデータの読み書きは伝送フレームがその装置を上流側から下流側へ通過するときに行われるので、この場合、Ｄ→Ｅ→Ａ→Ｂ→Ｃの順で、該読み書きを実行することになる。
【００３９】
（ｂ）において、アルファベット文字が記された各区画Ａ〜Ｅは、そのアルファベット文字に対応する装置Ａ〜Ｅに対して割り当てられたＮ伝送チャンネルを表している。ネットワーク内の各装置に対して、その装置で必要な数のＮ伝送ｃｈが割り当てられる。Ｎ伝送ｃｈの割り当て管理はマスタノードが行う。各装置に割り当てられた領域（各装置が確保したＮ伝送ｃｈ）は、その装置のみが排他的に波形データ書き込むチャンネルとして使用できる。いずれの装置にも割り当てられていないＮ伝送チャンネルは「空きチャンネル（空きｃｈ）」である。
【００４０】
各装置Ａ〜ＥのＮ＿Ｉ／Ｏ（図３の符号１４，１５，２４，３４，３５）は、伝送フレーム伝送方向の上流にある装置から伝送フレームを受信し、且つ、下流に転送する処理を行う過程で、その装置Ａ〜Ｅに割り当てられたＮ伝送ｃｈに対する波形データ（オーディオ信号）の書き込み、及び、所望のＮ伝送ｃｈからの波形データ（オーディオ信号）の読み出しを行う。波形データを読み出す所望のＮ伝送ｃｈは、その波形データの送信元装置に割り当てられえたＮ伝送ｃｈである。サンプリング周期毎に伝送経路を１巡回する伝送フレームに対して波形データ等の読み出し及び書き込みを行うことで、ネットワークのいずれの装置から伝送フレームに書き込まれた波形データ等であっても、全ての装置が略リアルタイムで該波形データ等を受信することが可能である。なお、マスタノードＤは、伝送経路を一巡した伝送フレームの終端まで受信してから、次の伝送フレームの作成及び送信を開始するのが好ましい。すなわち各装置Ａ〜ＥのＮ＿Ｉ／Ｏ（図３の符号１４，１５，２４，３４，３５）による上記の動作がオーディオ信号経路制御部である。
【００４１】
なお、ループバック端部となる装置Ａ及びＥ以外の装置は、伝送フレームを往路と復路の２度通過させることになるが、波形データ等の読み出し及び及び書き込みを行うのは、伝送フレームをその装置を上流側から下流側へ通過させるときの１度のみである。
なお、ネットワーク１に適用するオーディオネットワーク経由の伝送フレームの伝送方式は、例えば特許文献「特開２００８‐９９２６４号公報」に開示された技術により行うことができる。当該文献に開示された伝送フレームのサイズやネットワークの仕様等の各種技術的事項は本実施例にも適用可能である。
【００４２】
《ネットワーク同士の接続》
サブシステム１内の各装置２〜８は、上述のように、それぞれ、２つのネットワークＩ／Ｏ（第１Ｎ＿Ｉ／Ｏ１４，２４，３４、及び第２Ｎ＿Ｉ／Ｏ１５，２５，３５）を有している。これら２つのＮ＿Ｉ／Ｏのうち、一方の第１Ｎ＿Ｉ／Ｏ１４，２４，３４は、当該装置を、一方のネットワーク内の他装置に接続するために使用され、他方の第２Ｎ＿Ｉ／Ｏ１５，２５，３５は、該一方のネットワークに対して、他方のネットワークを接続するために使用される。
【００４３】
２つのＮ＿Ｉ／Ｏを介して、２つのネットワークを接続した装置は、接続ノード（ブリッジ装置）として動作をする。ユーザは、ブリッジ装置に対して、接続ノードの動作として、当該接続された一方のネットワークを他方のネットワークの拡張として結合する「フルブリッジ」モード、又は、それぞれ別の独立したネットワークとして結合する「パーシャルブリッジ」モードの何れかを設定できる。図１の例では、ネットワーク１中のコンソール２（ＣＳ１）及びコンソール３（ＣＳ２）がそれぞれ、「フルブリッジ」に設定され、入出力装置６（ＩＯ１）及び、入出力装置８（ＩＯ３）がそれぞれ、「パーシャルブリッジ」に設定される。なお、ブリッジ装置にかかる設定操作は、例えば個々の接続ノード（ブリッジ装置）が有するユーザインタフェース（Ｐ表示部１６、Ｐ操作子１７、簡易ＵＩ２７，３６）、或いは、オーディオネットワークシステム１００中のいずれかの制御装置のユーザインタフェースを用いて行われ、ブリッジ装置は、該設定操作に応じて、制御装置および当該接続ノードの各カレントメモリに記憶された当該接続ノードの２つのＮ＿Ｉ／Ｏのパラメータを設定する。また、ブリッジ設定は、個々の接続ノード（ブリッジ装置）のＣＰＵがユーザの指示に応じて、自身の設定に関する制御を行っても良いし、或いは、制御装置又はマスタノードにより各接続ノードにけるブリッジ設定をリモート制御してもよい。
【００４４】
接続ノードは、当該接続ノードにより接続された２つのネットワークにおけるサンプリング周波数が一致するとき（言い換えれば、当該接続ノードが２つのネットワークの少なくとも一方におけるマスタノードに設定されているとき）、「フルブリッジ」又は「パーシャルブリッジ」に応じた動作態様で、２つのネットワーク間でオーディオ信号を「橋渡し」する機能を実行する。オーディオ信号の「橋渡し」の動作とは、接続ノードを介して２つのネットワーク間でオーディオ信号を送受信することである。
【００４５】
《フルブリッジ》
フルブリッジ設定により２つのネットワークを接続する場合、各ネットワークを流れる各伝送フレームの音声信号領域４２には、それぞれ、両ネットワーク内の各装置に対して、その装置で必要な数のＮ伝送ｃｈが割り当てられる。つまり、両ネットワークでは伝送フレームの伝送速度もＮ伝送ｃｈ数も共通しており、それぞれ共通の伝送フレームの音声信号領域４２に対するＮ伝送ｃｈ割り当てを行う。なお、両ネットワークにおけるＮ伝送ｃｈの割り当ては、フルブリッジで接続された２つのネットワーク内のいずれか１つのマスタノードが行うものとする。
接続ノードは、第１Ｎ＿Ｉ／Ｏ（１４，２４，３４）を介して一方のネットワークを流れる伝送フレームから、当該一方のネットワーク内の何れかの装置に割り当てられた全てのＮ伝送ｃｈから波形データを読み出して、読み出された全ての波形データを、それぞれ、第２Ｎ＿Ｉ／Ｏ（１５、２５、３５）を介して他方のネットワークを流れる伝送フレームの同じＮ伝送ｃｈに書き込む。また、第２Ｎ＿Ｉ／Ｏを介して、該他方のネットワーク内の何れかの装置に割り当てられた全てのＮ伝送ｃｈから波形データを読み出して、読み出された全ての波形データを、それぞれ、第１Ｎ＿Ｉ／Ｏを介して該一方のネットワークを流れる伝送フレームの同じＮ伝送ｃｈに書き込む。これにより、伝送フレームの音声信号領域４２に記載 されるオーディオ信号は、一方のネットワークと他方のネットワークとで全く同じとなるが、オーディオ信号の観点で見ると、１つの伝送フレームが２つのネットワークを巡回しているのと全く等価である。
【００４６】
すなわち、フルブリッジ設定の場合、２つのネットワークの各装置は、他方のネットワークのいずれの装置に対しても、自身が属するネットワーク内の各装置と同様に、Ｎ伝送ｃｈ毎のオーディオ信号の送受信を行うことができる。従って、フルブリッジで接続された２つのネットワークは、他方のネットワークの資源を当該ネットワーク内の資源と同等に利用し、該２つのネットワークで全体として１つの信号処理を行うネットワークシステムとして動作できる。つまり、１つのネットワークに対して他のネットワークを、当該ネットワークの拡張として結合することになる。
【００４７】
《パーシャルブリッジ》
パーシャルブリッジ設定で２つのネットワークを接続する場合、各ネットワークを流れる各伝送フレームの音声信号領域４２のＮ伝送ｃｈに対する装置の割り当ては、図５（ａ）の説明と同様に、当該ネットワーク内の装置に対してのみ行われる。従って、この場合、２つのネットワークの伝送フレームの伝送速度もＮ伝送ｃｈ数も異なり、伝送フレームの音声信号領域４２のＮ伝送ｃｈ割り当ては、ネットワーク毎に異なる。
パーシャルブリッジに設定された接続ノードは、第１Ｎ＿Ｉ／Ｏ（１４，２４，３４）を介して一方のネットワークを流れる伝送フレームから、当該システム内の各装置が書き込んだＮ伝送チャンネルのうちのブリッジするよう設定されたＮ伝送チャンネルの波形データをそれぞれ読み出し、これら読み出した波形データを、第２Ｎ＿Ｉ／Ｏ（１５、２５、３５）を介して他方のネットワーク（接続用ネットワーク）を流れる伝送フレームにおける、当該接続ノードに対して割り当てられたＮ伝送ｃｈに書き込む。また、また、第２Ｎ＿Ｉ／Ｏを介して、接続用ネットワーク を流れる伝送フレームから、該接続用ネットワークに接続された何れかの他システムの接続ノードに割り当てられたＮ伝送チャンネルのうちのブリッジするよう設定されたＮ伝送チャンネルの波形データをそれぞれ読み出し、これら読み出した波形データを、第１Ｎ＿Ｉ／Ｏを介して当該接続ノードに対して割り当てられたＮ伝送ｃｈに書き込むことも可能である。
【００４８】
従って、パーシャルブリッジ設定の場合、１つの接続用ネットワークに接続された一方のシステムの各装置は、同接続用ネットワークに接続された他方のシステムのオーディオ信号のうち、該他方のシステムの接続ノードにおいてブリッジするよう設定されているオーディオ信号を、該一方のシステムの接続ノードでブリッジ設定して受け取ることはできるが、該他方のシステムの接続ノードでブリッジするよう設定されていないオーディオ信号は、どうやっても受け取ることができない。パーシャルブリッジ設定は、あるシステムの接続ノードを、システムとシステムとを物理的に接続するための接続用ネットワークに接続するものであり、各システムは、１つの独立したオーディオ信号処理システム（個別のシステム）として動作する。
【００４９】
図１の接続例では、サブシステム１に対して、フルブリッジ設定によりネットワーク５０とネットワーク５１が接続され、さらに、ネットワーク５０に対してフルブリッジ設定でネットワーク５２が接続される。この場合、サブシステム１及びネットワーク５０〜５２（図１において点線で囲う範囲）が、全体として１つの信号処理を行うオーディオネットワークシステム１００として動作する。システム１００内の制御装置（ＣＳ１、ＣＳ２、ＰＣ１１０、又は、ＰＣ１１１）は、システム１００内の全ての装置のリモート制御に必要なデータをカレントメモリに記憶し、自身が属するネットワーク内の各装置と同様に、システム１００内の他のネットワークに属する各装置をリモート制御できる。
【００５０】
他方、サブシステム１に対して、パーシャルブリッジ設定で他システムｘ及びｙが接続され、さらに、他システムｙに対して他システムｚが接続されるが、これら他システムｘ、ｙ及びｚは、サブシステム１とは独立したオーディオ信号処理システムとして動作する。ネットワークシステム１００内の制御装置は、他システムｘ、ｙ及びｚにのみ属する装置をリモート制御しない。
図１の構成のネットワークでは、同じオーディオ信号を運んでいる伝送フレームがどの範囲を巡回しているのか、言い換えれば、同じオーディオ信号を共有するオーディオネットワークシステム１がどの範囲なのかを、以下の観点においてユーザが確認する必要がある。
ｉ）１つのネットワークの伝送フレームの伝送経路が具体的にどの装置を巡回しているか。つまり、物理的・電気的に接続された複数の装置において、１つのネットワークの伝送フレームの伝送経路は、各機器の設定や状況に応じて変化するので、複数の装置が物理的、電気的に接続されていたとしても、その全てがその伝送経路に入っているとは限らない。
ｉｉ）物理的・電気的にリング状に接続された複数の装置において、１つのネットワークの伝送フレームがリング状に巡回しているか、それともカスケード状に巡回しているか。つまり、物理的・電気的にリング状に接続された複数の装置において、１つのネットワークの伝送フレームは、そのリング状の接続に沿った伝送経路を巡回しているとは必ずしも限らない。伝送フレームが、リング状の接続ではなく、カスケード状の接続に沿って巡回している場合、リダンダンシ動作による保護は有効とならない。
ｉｉｉ）物理的に１つの装置の２つのＮ＿Ｉ／Ｏに、それぞれ１又は複数の装置が接続されている場合に、その１つの装置が接続ノード（ブリッジ）として動作しているか否か。つまり、物理的に１つの装置の２つのＮ＿Ｉ／Ｏに、それぞれ１又は複数の装置が接続されている場合に、その１つの装置が接続ノード（ブリッジ）として動作しているとは限らない。何れか一方又は両方のＮ＿Ｉ／Ｏが、伝送フレームの巡回経路に入っていない可能性がある。
ｉｖ）さらに、接続ノード（ブリッジ）として動作している装置は、フルブリッジにて接続しているかそれともパーシャルブリッジとして接続しているか。つまり、接続ノード（ブリッジ）により２つのネットワークが接続されている場合に、その接続ノードが１つのネットワークの拡張として２つのネットワークを接続している（フルブリッジ）とは限らず、それぞれ独立したネットワークとして２つのネットワークを接続している（パーシャルブリッジ）可能性がある。
これらをユーザが容易に確認できるようにするため、このオーディオネットワークシステム１００では、各制御装置（コンソール２、３、ＰＣ１１０、１１１）の表示器に「オーディオネットワークビュー画面」を表示できるようになっている。
【００５１】
《オーディオネットワークビュー画面》
図６は、システム１００の接続状態をグラフィック表示する「オーディオネットワークビュー画面」の構成例であり、サブシステム１内のエンジン４（「ＤＳＰ＿Ａ」）に接続されたＰＣ１１０のディスプレイに表示された「オーディオネットワークビュー画面」を示している。ＰＣ１１０のディスプレイ又はコンソール２，３のＰ表示部１６にオーディオネットワークビュー画面を表示する構成が、特許請求範囲の表示部に相当する。
【００５２】
ネットワーク表示領域６０は、システム１００を構成する複数のネットワークのそれぞれに対応する複数の表示段６１ａ〜６１ｆからなる。複数の表示段６１ａ〜６１ｆは、画面上下方向に１段ずつ並べられている。なお、図６において、各表示段６１ａ〜６１ｆの段毎の区切りを１点鎖線で示した。
【００５３】
最上段６１ａは、基本ネットワークを構成する各装置を表す複数の装置画像６２を、当該ネットワークにおける装置の接続順に従って、画面横方向に並べて表示する。基本ネットワークはオーディオネットワークビュー画面の最上段６１ａに表示されるネットワークであり、典型的には当該オーディオネットワークビュー画面を表示している装置が属するネットワークである。
【００５４】
２段目以降の表示段６１ｂ〜６１ｆは、当該表示段よりも上段に表示されたネットワーク中の接続ノードに接続されたネットワークを表示する。前記接続ノードがフルブリッジに設定されている場合、表示段には、その接続ノードにより接続されたネットワークを構成する各装置を表す装置画像６２が、当該ネットワークにおける装置の接続順に従って、画面横方向に並べて表示される。すなわち、この表示を行うためには、その接続ノードによって接続されたネットワークの伝送フレームの伝送経路上の全ての装置の接続を検出しておく必要がある。また、前記接続ノードがパーシャルブリッジに設定されている場合、表示段には、パーシャルブリッジ画像６７が表示される。この表示には、その接続ノードによって接続されたネットワークにおいて、その接続ノードに隣接している装置の情報があれば充分であり、該ネットワーク上のその他の装置の情報は必要ない。
【００５５】
１つの装置画像６２には、装置を特定する情報（装置名）６３と、当該装置が有する２つのネットワークＩ／Ｏの構成を示す画像６４，６５が含まれる。Ｎ＿Ｉ／Ｏ画像６４，６５上の数字（１又は２）は、第１Ｎ＿Ｉ／Ｏ及び第２Ｎ＿Ｉ／Ｏの区別を示す。また、各Ｎ＿Ｉ／Ｏ画像６４，６５には２つの端子を示す２つの丸印が描かれており、端子を示す２つの丸印の間に示された矢印により、それらのうちの左側の端子が上流であり、右側の端子が下流であることが示されている。
【００５６】
２つの装置画像６２を結ぶ線６６は、当該２つの装置画像６２に対応する装置間の接続ケーブルを示す画像である。接続ケーブル画像６６は、２つの装置画像６２のＮ＿Ｉ／Ｏ画像６４，６５の端子間を結ぶよう描かれている。よって、接続ケーブル画像６６が接続されたＮ＿Ｉ／Ｏ画像６４，６５の端子の向き（上流側か下流側か）からも装置の接続順を識別可能である。このネットワークビュー画面では、各装置の左側の端子を上流側、右側の端子を下流側とするとともに、各ネットワークに接続された複数の装置を、一番左が最上流となり、右に従って下流となるように並べている が、これら全てを反転して、各装置の左側の端子を下流側、右側の端子を上流側とするとともに、各ネットワークに接続された複数の装置を、一番左が最下流となり、右に従って上流となるように並べるようにしてもよい。
【００５７】
また、ネットワーク表示領域６０の左側には、各表示段６１ｂ〜６１ｆに対応して、その表示段に対応するネットワークを示す番号ＰＮ１〜ＰＮ６とプロパティ表示ボタン（「Ｐｒｏｐ」）６７が表示される。各プロパティ表示ボタン６８を押すことで、ボタンに対応する番号ＰＮ１〜ＰＮ６のネットワークのプロパティを画面に表示させることができる。
【００５８】
《デバイスリスト》
オーディオネットワークビュー画面の内容は、デバイスリストに基づいて描画される。デバイスリストは、各装置のＮ＿Ｉ／Ｏによるオーディオネットワーク通信機能（詳しくはオーディオネットワーク通信プロトコルの階層モデルにおけるＭＡＣ層）により作成されるもので、各装置のメモリ１１，２１，３１には、その装置が属するネットワークに対して接続された全てのネットワーク（図１の場合は８ネットワーク）について、各ネットワーク毎の、伝送フレームの伝送経路上の全ての装置の情報を記載した「デバイスリスト」が記憶される。かかるデバイスリストを作成・記憶する構成が、１つのネットワーク（基本ネットワーク）の前記リング状伝送経路上にある複数の装置と、該複数の装置が前記ケーブルによって連結されている接続順とを検出する第１検出部、別のネットワーク（基本ネットワークに直接又は間接的に接続されたネットワーク）の前記リング状伝送経路上にある複数の装置を検出し、且つ、該複数の装置が前記ケーブルによって連結されている接続順を検出する第２検出部である。なお、前記オーディオネットワークシステム１００は、基本ネットワークと、フルブリッジに設定された１又は複数の接続ノードによって、基本ネットワークに直接又は間接的に接続された全てのネットワークとによって構成される。すなわち、ネットワークビュー画面上の表示のうち、当該ネットワークシステム１００を構成するネットワークの表示は、当該ネットワークシステム１００に含まれる全てのネットワークのデバイスリストがあれば、実行可能である。一方、接続ネットワークに関するパーシャルブリッジ画像６７は、当該ネットワークシステム１００に含まれるパーシャルブリッジに設定された接続ノードに、当該接続ネットワーク上で隣接する装置の情報とがあれば表示できる。従って、前記「接続された全てのネットワーク（図１）」の各ネットワーク毎のデバイスリストを記憶する代わりに、当該ネットワークシステム１００に含まれる全てのネットワークのデバイスリスト（最低限のデバイスリスト）だけを作成するようにしてもよい。さらに、パーシャルブリッジ画像６７の表示を行うためには、当該ネットワークシステム１００に含まれる前記パーシャルブリッジに設定された接続ノードから、前記接続ネットワークにおける隣接装置の情報を入手すればよい。或いは、前記最低限のデバイスリストに加えて、前記パーシャルブリッジに設定された接続ノードに直接接続された接続ネットワーク（隣接ネットワーク）のデバイスリストを作成するようにしてもよい。  
【００５９】
図７は、デバイスリストの構成例であり、ネットワーク１内のエンジン４（「ＤＳＰ＿Ａ」）のメモリ２１に記憶された複数のデバイスリスト（ネットワーク１、ネットワーク５０、ネットワーク５１、他システムｘ、及び、ＩＯ３とＤＳＰｘからなるネットワーク５３に関する各デバイスリスト）が例示されている。なお、システム１００中の何れかの装置に接続されたＰＣは、接続された装置のメモリ１１，２１，３１からネットワーク毎の「デバイスリスト」を取得して、自身のメモリに記憶する。
【００６０】
１つのデバイスリストは、１つのネットワークにおける伝送フレームの伝送経路上の１又は複数の装置を特定する情報として、装置毎に、制御ＩＤ、機種ＩＤ、及び機器ＩＤを記憶する。制御ＩＤは、制御装置が当該装置を識別するための制御装置によるリモート制御用のＩＤ番号である。機種ＩＤは、装置の機種を識別する情報であって、機種毎に異なる。図７では「ＤＳＰ」が信号処理エンジン、「ＣＳ」がコンソール、「ＩＯ」が入出力装置をそれぞれ示す。機器ＩＤは、各装置の機器（個体）をユニークに識別する情報である。１つのデバイスリストに記録された制御ＩＤ、機種ＩＤ及び機器ＩＤに基づいて、１つのネットワークを構成する装置を特定できる。なお、デバイスリストはオーディオネットワークで接続された装置を記録したものであるが、装置に対してＰＣ＿Ｉ／Ｏ１２、２２、３２を介して接続されたＰＣは、その接続された装置の一部と看做され、デバイスリストには記録されない。
【００６１】
また、デバイスリストにおいて、各装置を特定する情報（制御ＩＤ、機種ＩＤ、及び機器ＩＤ）は、当該ネットワークの伝送フレームの伝送経路における装置の物理的な接続順にリストに記録される。各情報が記録された行の左端の番号は接続順に対する番号となる。各情報の記録順に基づいて、１つのネットワークを構成する装置の接続順を特定できる。
【００６２】
デバイスリストに記録される装置の接続順は、当該デバイスリストを記憶している装置を起点とする順番である。例えば、図７はＤＳＰ＿Ａに記憶されたデバイスリストを例示しているので、ネットワーク１のデバイスリストの先頭にはＤＳＰ＿Ａに対応する情報が記録される。また、他のネットワークのデバイスリストにおいては、そのネットワークとネットワーク１を接続する接続ノードが先頭になる。図７において、ネットワーク１に対して接続された他のネットワークのデバイスリストにおいて、接続ノードに対応する行をハッチングで示した。
【００６３】
また、データリストには、装置間の接続状態を示す情報として、リスト末尾（接続順末尾）に記載された機器ＩＤに対応する装置からリスト先頭（接続順先頭）に記載された機器ＩＤに対応する装置への接続を示すループ（ｌｏｏｐ）記号と、リストのある接続順の制御ＩＤ機器ＩＤに対応する装置とその次の接続順の機器ＩＤに対応する装置との隣接する２つの装置間の接続が切れていることを示す（ｏｐｅｎ）記号との何れかが記録される。ここで、リスト末尾の次の接続順は、リスト先頭に戻るものとする。図７において、装置間の接続状態を示す情報は制御ＩＤ欄に記録されており、例えば、ネットワーク１のデバイスリストの行番号「８」の制御ＩＤ欄にループを示す情報「ｌｏｏｐ」が記録される。また、ネットワーク５０のデバイスリストの行番号「４」の制御ＩＤ欄にループを示す情報「ｌｏｏｐ」が記録される。なお、デバイスがリング状に接続されたネットワークについて、デバイスリストの“ｌｏｏｐ”フラグは必須でなはい。例えば、「“ｏｐｅｎ”が記載されていなければ、そのデバイスリストは“ｌｏｏｐ”と看做す」ことができる。
【００６４】
ネットワーク１に接続された他のネットワークのデバイスリストにおいて、当該接続をする接続ノードを示す行（２行目）の１行上（１行目）の制御ＩＤ欄には、当該接続ノードのブリッジ設定を示す情報（フルブリッジモードを示す記号ＦＢ又はパーシャルブリッジモードを示す記号ＰＢ）が記録される。例えば、ネットワーク５０のデバイスリストの行番号「１」の制御ＩＤ欄にはブリッジ設定情報として「ＦＢ」が記録される。また、ネットワーク５３のデバイスリストの行番号「１」の制御ＩＤ欄にはブリッジ設定情報として「ＰＢ」が記録される。これにより、ネットワーク１に対する当該ネットワークの接続（当該接続ノードの設定）がフルブリッジ及びパーシャルブリッジのいずれであるかを特定できる。
【００６５】
なお、システム１００の制御範囲にないネットワーク（パーシャルブリッジに設定された接続ノードにより、ネットワーク１に対して接続されたネットワーク５３、他システムｘ、ｙ、ｚ）にのみ属する装置については、リモート制御しないので制御ＩＤを無視できる。従って、それら装置の制御ＩＤ欄には値として"don't care"（例えば、ネットワーク５３のリストにおける行番号「４」の「＊」）が記録される。
【００６６】
システム１００内のいずれかのネットワークに属する制御装置のＣＰＵ（コンソール２，３のＣＰＵ１０、或いは、ＰＣ１１０，１１１のＣＰＵ）は、ユーザからオーディオネットワークビュー画面表示指示を受けたとき、当該制御装置のディスレイ（コンソール２，３のＰ表示部１６、或いは、ＰＣ１１０，１１１のディスプレイ）に、デバイスリストに基づくオーディオネットワークビュー画面を表示する処理を行う。
【００６７】
《オーディオネットワークビュー画面表示処理》
図８は、ユーザからオーディオネットワークビュー画面表示指示を受けたとき、制御装置のＣＰＵが実行する処理を説明するフローチャートである。なお、一例としてＤＳＰ＿Ａに接続されたＰＣ１１０にて表示指示が行われ、ＰＣ１１０のＣＰＵが処理を実行することを想定する。
【００６８】
ステップＳ１において、ＣＰＵは、ディスプレイに、オーディオネットワークビュー画面用のウインドウを表示する。ここで表示されるオーディオネットワークビュー画面用のウインドウにおいてネットワーク表示領域６０には、表示段６１ａ〜ｆや装置画像６２を表示していない空の状態である。
【００６９】
ステップＳ２において、ＣＰＵは、ネットワーク表示領域６０の上端部分に最上段６１ａを作成し、メモリに記憶されたネットワーク１（基本ネットワーク）のデバイスリストに基づいて、作成された最上段６１ａに、当該基本ネットワークを構成する全ての装置を示す装置画像６２を、その接続順に横方向で並べて表示し、且つ、それら装置画像６２の間を結ぶ接続ケーブル画像６６を表示する。なお、各装置画像６２に表示する装置名６３は、例えば機種ＩＤと制御ＩＤの組み合わせなど、装置を特定できる適宜の名称であってよい。また、最上段６１ａの作成に伴い、ＣＰＵは、作成された最上段６１ａの左側に、当該ネットワークのプロパティ表示ボタン６８と当該ネットワークのネットワーク番号（ＰＮ１）を表示する。
【００７０】
ステップＳ３において、ＣＰＵは図９に示す下段表示サブルーチンを実行する。図９のステップＳ４において、ＣＰＵは、処理対象となる表示段（現在段）に表示されたネットワーク中の１つ目の装置を処理対象に指定する。ここで、図８のステップＳ３により起動した下段表示サブルーチンにおいては、ステップＳ４における処理対象の表示段（現在段）は、最上段６１ａである。また、１つ目の処理対象に指定される装置は、例えば接続順で先頭の装置（当該表示段において左端の装置画像６２に対応する装置）である。
【００７１】
ステップＳ５において、ＣＰＵは、メモリに記憶されたデバイスリストに基づいて、処理対象に指定された装置が接続ノード（ブリッジ）か否かを判断する。処理対象に指定された装置が接続ノードの場合（ステップＳ５のＹＥＳ）、ＣＰＵは、ステップＳ６において、メモリに記憶されたデバイスリストに基づいて、接続ノードがフルブリッジ及びパーシャルブリッジの何れに設定されているかを判断する。
【００７２】
処理対象に指定された装置が接続ノードであり（ステップＳ５のＹＥＳ）、且つ、パーシャルブリッジに設定されている場合（ステップＳ６の「ｐａｒｔｉａｌ」）、ステップＳ９において、ＣＰＵは、ネットワーク表示領域６０に既に表示されている表示段の一番下に、新たな表示段を追加形成し、メモリに記憶されたデバイスリストに基づいて、該形成された表示段にパーシャルブリッジ画像６７を表示し、且つ、前記指定された装置の装置画像６２とパーシャルブリッジ画像６７を結ぶ接続ケーブル画像６６を表示する。また、ＣＰＵは、今回追加形成された表示段の左側に、当該ネットワークに関するプロパティ表示ボタン６８と、当該ネットワークを示すネットワーク番号（ＰＮｎ）を表示する。なお、ネットワーク番号（ＰＮｎ）は、今回追加形成された表示段を含めたネットワーク表示領域６０に表示中の表示段の数ｎ（ｎは正の整数）に対応する。
【００７３】
指定された装置が接続ノードであり（ステップＳ５のＹＥＳ）、且つ、フルブリッジに設定されている場合（ステップＳ６の「Ｆｕｌｌ）、ステップＳ８において、ＣＰＵは、オーディオネットワークビュー画面のネットワーク表示領域６０に既に表示されている表示段の一番下に、新たな表示段を追加形成し、メモリに記憶されたデータリストに基づいて、該形成された表示段に、当該指定された装置（接続ノード）に接続されたネットワークを構成する１又は複数の装置画像６２を、その接続順に横方向で並べて表示し、且つ、それら装置画像６２の間を結ぶ接続ケーブル画像６６を表示する。また、ＣＰＵは、今回追加形成された表示段の左側に、当該ネットワークに関するプロパティ表示ボタン６８と当該ネットワークを示すネットワーク番号（ＰＮｎ）を表示する。そして、ステップＳ９において、ＣＰＵは、前記ステップＳ８で新たに追加された表示段について下段表示サブルーチンを実行する。
【００７４】
指定された装置について前記ステップＳ７又はＳ８，Ｓ９の処理を行った後、又は、指定された装置が接続ノードでない場合（ステップＳ５のＮＯ）、ＣＰＵは、ステップＳ１０において、現在段のネットワークの装置接続順に従い、次の装置（現在処理対象に指定されている装置に対して伝送フレームの下流に隣接する装置）を、処理対象に指定する。ＣＰＵは、現在段のネットワークに接続されている全て装置を処理対象に指定し終えるまで、ステップＳ５〜Ｓ１１のループ処理を繰り返す（ステップＳ１１のＹＥＳ）。現在段のネットワークに接続されている全て装置に対して、ステップＳ５〜Ｓ１１の処理を終えた後（ステップＳ１１のＮＯ）、ＣＰＵは、オーディオネットワークビュー画面表示処理を終了する。
【００７５】
前記図８のステップＳ２により、最上段６１ａには、図７に示すネットワーク１のデバイスリストの先頭にあるＤＳＰ＿Ａ（画面表示を行うＰＣに接続されたノード）を示す装置画像６２が左端（上流側）に表示され、これに続いて当該デバイスリストの記録順に従って、複数の装置画像６２が順次右隣に表示される。これら装置画像６２の第１Ｎ＿Ｉ／Ｏ画像６４の端子間に接続ケーブル画像６６が表示される。ネットワーク１のデバイスリストの８行目（接続順後端のＩＯ２の行の下）が「ｌｏｏｐ」であるため、図面において右端の装置画像６２（ＩＯ２）と左端の装置画像６２（ＤＳＰ＿Ａ）の間には、両装置をループする接続ケーブル画像６６が表示される。ループの表示により基本ネットワークの各装置がリング状に接続されていることがわかる。
【００７６】
また、前記ステップＳ３により、最上段６１ａの基本ネットワークについて下段表示サブルーチンを実行することで、ステップＳ４〜８の処理により、基本ネットワーク中に接続ノードが検出される毎に、表示段の２段目以降に、１段ずつ新たな表示段を追加して、新たに追加された表示段に、当該検出された接続ノードの接続先ネットワークの構成を表示できる。
【００７７】
基本ネットワーク中の接続ノードのサーチは先頭側から順に行われるので、図６に示す通り、フルブリッジに設定されたＣＳ２を介して基本ネットワーク（ネットワーク１）に対して接続されたネットワーク５０の構成が、２段目の表示段６１ｂに表示される。表示段６１ｂにおいて、ＣＳ２に接続されたＩＯ４の装置画像６２は、最上段６１ａ左から３つ目にあるＣＳ２画像６２に対して縦並びに整列された位置に表示される。ＣＳ２画像６２の第２Ｎ＿Ｉ／Ｏ画像６５とＩＯ４画像６２の第１Ｎ＿Ｉ／Ｏ画像６４の間に接続ケーブル画像６６が表示される。
このように、或るネットワークに対してフルブリッジ設定で接続された他のネットワークについては、縦方向に並べられた接続ノード画像６２とそれに接続された装置画像６２、及び、そのネットワークを表示する表示段における横並びの装置画像６２により、そのネットワークの構成及び接続状況が表示される。なお、図６の表示例によれば、図７のデバイスリストにおいてハッチングにより示された接続ノードは、そのデバイスリストに対応するネットワークの表示段には表示されないことになる。すなわち、接続ノードの画像６２は、その装置の第１Ｎ＿Ｉ／Ｏを介して接続されたネットワークの表示段（当該接続ノードにより接続された２つのネットワークのうち上段の表示段）にのみ表示される。
【００７８】
更に、或るネットワークに対してフルブリッジで接続された他のネットワークを表す表示段（例えば２段目の表示段６１ｂのネットワーク）については、ステップＳ９により、その表示段を現在段として下段表示サブルーチンを実行するので、該他のネットワーク中に接続ノードが検出される毎に、１段ずつ新たな表示段を追加して、追加された表示段に当該検出された接続ノードの接続先ネットワークの構成を表示できる。
従って、フルブリッジに設定された接続ノードが検出された場合、その都度、１段ずつ新たな表示段とネットワーク構成の表示処理（ステップＳ８）を行い、当該新たな表示段について、ステップＳ９による下段表示サブルーチンを実行する処理を繰り返すことになる。この結果、基本ネットワークに対してフルブリッジ設定で連結された複数のネットワークは、基本ネットワークに近いものから順に、連続する複数の表示段に表示される。
例えば、図６において、ＣＳ２を介して基本ネットワーク（ネットワーク１）に対してフルブリッジ設定で接続されたネットワーク５０の構成が２段目の表示段６１ｂに表示され、更に、ネットワーク５０中のＩＯ４を介してフルブリッジ設定で接続されたネットワーク５２が３段目の表示段６１ｃに表示される。
【００７９】
３段目の表示段６１ｃには、ネットワーク５２を構成するＩＯ６画像６２とＩＯ５画像６２が横方向に並べて表示される。３段目の表示段６１ｃの表示処理の後、ネットワーク１のＣＳ１が処理対象に指定され（ステップＳ１０）、当該ＣＳ１を介してフルブリッジ設定で接続されたネットワーク５１が４段目の表示段６１ｄに表示される（ステップＳ８）。このとき、当最上段６１ａ中のＣＳ１画像６２及びその左側にある全ての装置画像６２の表示位置を、図面右側に移動させる。これにより複数のネットワークに係る表示が互いに重ならない。
【００８０】
また、４段目の表示段６１ｄにあるとおり、ＩＯ７画像６２とＩＯ８画像６２の間は接続ケーブル画像６６の表示がされておらず、これによりＩＯ７とＩＯ８が接続されていない（図１の接続例を参照）こと、言い換えれば、ネットワーク５１の接続形態がカスケード状であることが明示される。カスケード状のネットワークの両端部が明示されるので、ネットワーク中の何処を接続すればループになるのかを、ユーザは画面から把握できる。
【００８１】
また、パーシャルブリッジに設定された接続ノード（ＩＯ１，ＩＯ３）について、ステップＳ７により、その接続ノードの装置画像６２に対して縦並びに整列された位置にパーシャルブリッジ画像６７が表示される。従って、その接続ノードが接続されている接続用ネットワークの先にある他のシステムのネットワーク構成は表示されないが、接続ノード画像の第２Ｎ＿Ｉ／Ｏ画像６５の各端子とパーシャルブリッジ画像６７を結ぶ接続ケーブル画像６６の表示により、接続ノードの第２Ｎ＿Ｉ／Ｏの上流側端子に他のシステムが接続されていること、及び、下流側端子に他のシステムが接続されていることが表示される。例えば、ＩＯ３画像６２の第２Ｎ＿Ｉ／Ｏ画像は上流側端子にのみ接続ケーブル画像６６が表示されており、ＩＯ３の第２Ｎ＿Ｉ／Ｏ３５の上流側には他システムが接続されているが、下流側には他システムが接続されていないことが視認できる。
【００８２】
また、図６では、ＤＳＰ＿Ａに接続されたＰＣ１１０にてオーディオネットワークビュー画面を表示することを想定しているので、ネットワーク１が最上段６１ａに表示される基本ネットワークとなり、最上段６１ａの左端（先頭）にはＤＳＰ＿Ａ画像６２が表示され、且つ、ＤＳＰ＿Ａから下流に向けて、同じネットワークに接続されている装置が順に表示されている。そして、そのネットワークの下には、上流の接続ノードから順 に、各接続ノードに接続されている他のネットワークが、１段に１ネットワークずつ順に表示される。オーディオネットワークビュー画面は、その画面を表示する装置が有するデバイスリストに基づいて行われるので、オーディオネットワークビュー画面の見え方（最上段６１ａに表示される基本ネットワークや装置画像６２の表示位置など）は、当該画面を表示する装置に応じて変化する。例えば、コンソールＣＳ１にてオーディオネットワークビュー画面を表示する場合、ネットワーク１が最上段６１ａに表示される点は同じであるが、最上段の左端にはコンソールＣＳ１画像６２が表示され、その位置を基準として、ネットワーク１の他の装置、および、ネットワーク１に接続されている他のネットワークが表示される。また、入出力装置ＩＯ６に接続されたＰＣ１１１にて表示する場合、ＩＯ６が接続されているネットワーク５２が最上段６１ａに表示され、最上段の左側にはＩＯ６画像６２が表示され、その位置を基準としてその他の表示が行われる。
【００８３】
《デバイスリストの更新》
各装置のメモリ１１，２１，３１に記憶された各ネットワーク毎のデバイスリストは、リストに対応するネットワークの構成が変更されたとき（ネットワーク内に新しい装置が検出されたときや、ネットワーク内の既存の装置が消滅したとき）に更新される。各装置のＮ＿Ｉ／Ｏ（１４，１５，２４，２５，３４，３５）が担うオーディオネットワーク通信機能（詳しくはオーディオネットワークの通信プロトコルの階層モデルにおけるＭＡＣ層）の動作として、各装置は、自身に隣接する装置（自身のＮ＿Ｉ／Ｏに接続された装置）を新規に検出したとき、図１０のフローチャートに示す処理を行う。また、各装置は、各自に隣接して接続されていた装置の消滅を検出したとき、図１１のフローチャートに示す処理を行う。
【００８４】
《隣接装置の検出時》
或る装置に隣接して新たな装置が物理的に接続され、且つ、その隣接装置の電源がオンのとき（つまり隣接装置から当該装置に対する何らかの応答があったとき）、当該或る装置は新たな隣接装置を検出する。すなわち、相手装置とは物理的、電気的に接続がされており、当該或る装置は、相手装置との間でイーサネット（登録商標）形式のフレームを送信及び受信することができる。
新たなに隣接装置が検出されたとき、図１０のステップＳ１２において、当該装置は、検出された隣接装置（相手装置）を特定する情報（機種ＩＤ、機器ＩＤ等）を取得する。ステップＳ１３において、その装置は相手装置と、当該ネットワークへの相手装置の接続の可否及び接続可の場合の態様について交渉する。ここで、何れかの装置の事情により接続否（接続拒否）が決定された場合は（ステップＳ１４のＮＯ）、そのまま処理を終了する。この場合、当該装置と相手装置間は、物理的に接続されていても、相手装置を含む伝送フレームの伝送経路は形成されない。デバイスリストでは、伝送フレームが巡回せずオーディオ信号の接続が切れた状態（ｏｐｅｎ）として扱う。
【００８５】
前記接続可の場合の接続態様は、当該装置のネットワークに相手装置を組み込む接続態様（組込）、当該装置を相手装置のネットワークに組み込む接続態様（被組込）、或いは、当該装置と相手装置とが、既に同じネットワークに属していて、これら２つの装置を接続することにより、当該ネットワークが、カスケードの形態からリングの形態に変化する接続態様（ループ）のいずれかである。なお、組込／被組込の接続態様とは、接続ノード（ブリッジ）による２つのネットワークの接続とは、全く別物なので注意されたい。
上述のとおり、各装置は少なくとも１組の上流側／下流側端子を有した通信インターフェースを備えており、隣接装置の検出とはこの一組の上流側端子／下流側端子に他の装置の接続が検出された場合である。装置が複数組の上流側／下流側端子を備えており、１の組の上流側／下流側端子とは異なる他の組の上流側端子／下流側端子にて他の装置の接続が検出された場合は、当該装置が接続ノードとして動作する場合であり、この場合の処理については後述する。
前記接続可否、及び、接続態様は装置間（ネットワーク間）の交渉にて、両装置間で、設定やネットワークの状況を交換することにより、決定される。例えば、
i)相手装置が、何れのネットワークにも組み込まれていないとき、当該装置において「組込」形態での接続可が決定される。
ii)相手装置が、既に、当該装置のネットワークと同じネットワークに組み込まれており、更にここを接続することにより、リング状伝送路の接続態様がカスケードからループに変化するとき、両装置において「ループ」形態での接続可が決定される。
iii)何れか一方の装置が組み込まれているネットワークが、他方の装置のネットワークに組み込まれるべきネットワークであるとき。具体的には、(1)もともと同じネットワークだったものが分断されて、それぞれループバックを設定して、交渉されたネットワークと当該ネットワークとが形成されていたとき、(2)当該ネットワークに、予め、交渉されたネットワークへの組み込み許可が設定されていたとき、等。この場合は、該一方の装置において「被組込」での接続が決定され、該他方の装置において「組込」の接続可が決定される。
iv) 相手装置が組み込まれているネットワークが、当該装置のネットワークとは無関係の ネットワークであるとき、両装置において接続否が決定される。
なお、相手装置が１台だけ孤立している装置であっても、その装置がマスタノードとして動作している場合、相手装置は１つのネットワークに組み込まれていると看做され、iii)又はiv)のルールに基づく決定が行われる。
また、i)又はiii)に該当する場合であっても、さらに以下の条件に当てはまる場合は、接続否が決定される。
v)当該装置のネットワークに相手装置を組み込むことにより、当該ネットワークの総距離（又は、フレーム伝送路の遅延時間）が、許容距離（又は許容時長）を超えてしまうとき。
vi) 当該装置のネットワークに相手装置を組み込むことにより、当該ネットワークに接続された機器の台数が、許容台数を越えてしまうとき。
【００８６】
接続可であり（ステップＳ１４のＹＥＳ）、接続態様が組み込みの場合（ステップＳ１５の「組込」）、ステップＳ１６において、当該装置のネットワークに相手装置を組み込む処理が行われる。図１３は相手装置の組み込みによるネットワーク構成の変化を説明する図である。ネットワークＮ１の装置Ｄ１により隣接する相手装置Ｄ２の接続が検出されると（（ａ）の状態）、装置Ｄ１からのコマンドにより相手装置Ｄ２のネットワークＮ２は解体され（（ｂ）に示す相手ネットワークＮ２の解体）、何れのネットワークにも属さなくなった相手装置Ｄ２は当該装置Ｄ１のネットワークＮ１に組み込まれる（（ｃ）の状態）。
【００８７】
ステップＳ１７において、当該装置は前記ステップＳ１２で取得した装置特定情報に基づいて、当該装置のメモリに記録されたデバイスリストのうち、当該装置が属するネットワークのデバイスリストの内容を更新する。これにより、デバイスリストには今回検出された相手装置（図１３の場合、相手装置Ｄ２）を記録する行が新たに追加され、該追加された行に相手装置の情報が書き込まれる。図１３の例の場合、ネットワークＮ１の各装置にて保持されているデバイスリストは当初｛Ｄ１，ｏｐｅｎ，Ｄ＊，Ｄ＊｝（「＊」はＤｏｎ’ｔ  Ｃａｒｅ）の順に記述さ れている。最終行の「ｏｐｅｎ」は当該ネットワークがカスケードにて形成されていることを示す。ここに装置Ｄ１に装置Ｄ２が接続され、装置Ｄ２がネットワークＮ１に組み込まれると、装置Ｄ１において装置Ｄ１の下流側に装置Ｄ２が追加された、デバイスリスト{Ｄ１，Ｄ２，ｏｐｅｎ，Ｄ＊，Ｄ＊}に更新され る。さらに、もう１台の装置Ｄ３が組み込まれた場合、デバイスリストは｛Ｄ１，Ｄ２，Ｄ３，ｏｐｅｎ，Ｄ＊，Ｄ＊｝となる。
【００８８】
ステップＳ１８において、更新されたデバイスリストの内容を、当該装置に接続されている全ての装置に対して通知する。これにより、当該装置が属するネットワーク内の全ての装置、及び、そのネットワークに対して接続ノード（ブリッジ）を介して接続された全ネットワークの全装置に通知される。通知を受けた各装置は、後述する図１２の処理により、その装置内に記憶されているデバイスリストの内容を更新する。ここで、接続された全ネットワークには、フルブリッジ及びパーシャルブリッジの何れの設定で接続されたネットワークも含まれる。通知の方法は、例えば、伝送フレームに更新内容（更新結果）を書き込み、各装置で伝送フレームから更新結果を読み出す方法でもよいし、或いは、１装置ずつ順番に通知対象の装置を指定して、１装置ずつ順番に通知する方法でもよい。なお、各装置のデバイスリストの更新内容の通知範囲は、前記接続された全ての装置より少ない装置であってもよい。作成するデバイスリストに応じて、例えば、オーディオネットワークシステム１００に含まれる全てのネットワークのデバイスリストを作成する場合は、当該ネットワークシステム１００の全ての装置に通知するようにすればよい。この場合、当該ネットワークシステム内のパーシャルブリッジに設定された接続ノードが、第２Ｎ＿Ｉ／Ｏに接続された接続ネットワークにおける隣接装置の情報についても通知を行うようにしておけば、制御装置は、その通知された情報に基づいて、前記ネットワークビュー画面におけるパーシャルブリッジ画像６７を表示できる。オーディオネットワークシステム１００に含まれる全てのネットワークと隣接ネットワークのデバイスリストを作成する場合は、各装置のデバイスリストの更新内容を、それらのネットワークの全装置に通知するようにすればよい。
【００８９】
また、接続可であり（ステップＳ１４のＹＥＳ）、接続態様がループの場合（ステップＳ１５の「ループ」）、ステップＳ１９において、当該装置と相手装置をループする。図１４はループによるネットワーク構成の変化を説明する図である。カスケード状のネットワークの両端部ＤＤ１，Ｄ２がループされると（（ａ）の状態）、ネットワーク全体がリング状に接続され、両端部Ｄ１，Ｄ２のループを含むリング状の伝送経路ＴＲが形成される（（ｂ）の状態）。双方向通信可能な接続ケーブルを用いる場合、リング状の伝送経路が２重に形成される。
当該装置は、ループの設定後、当該装置が属するネットワークのデバイスリストの内容を更新し（ステップＳ１７）、更新されたデバイスリストの内容を、当該装置に接続されている全ての装置に対して通知する（ステップＳ１８）。通知を受けた各装置は、図１２の処理により、その装置内に記憶されているデバイスリストの内容を更新する。この各デバイスリスト更新によりリスト最終行に接続状態を示す情報として「ｌｏｏｐ」が書き込まれる。
【００９０】
また、接続可であり（ステップＳ１４のＹＥＳ）、接続態様が被組み込みの場合（ステップＳ１５の「被組込」）、当該装置は相手装置のネットワークに組み込まれる（ステップＳ２０）。つまり相手装置は、当該装置に対してコマンドを発行して、当該装置が属するネットワークを解体し、何れのネットワークにも属さなくなった当該装置を、相手装置のネットワークに組み込んで（ステップＳ１６）、デバイスリストの更新及び更新結果の通知（ステップＳ１７、Ｓ１８）を行う。以上の説明から明らかなとおり、ネットワーク構築初期のデバイス（ノード）が１台のみである場合、デバイスリストは当該装置のみが登録された状態にあり、ネットワークにデバイス（ノード）が追加される毎（接続ケーブルにて既存ノードに新規ノードが接続される毎）に当該追加されたノードがデバイスリストの末尾に追加され、最終的にデイジーチェーンを構成する各ノードが物理的に接続された順にて記述されたデバイスリストが構成される。
また、上記説明では組み込む相手装置を単一の装置としたが、ネットワーク単位で組み込むようにしてもよい。
【００９１】
《隣接装置の消滅時》
隣接して接続されていた装置の消滅を検出したとき、図１１のステップＳ２１において、当該装置は、第１Ｎ＿Ｉ／Ｏの２つの端子のうち一方（オーディオネットワークの上流側又は下流側のうち、隣接装置の消滅を検出した側）に、伝送フレームの折り返し経路（ループバック（ＬＢ））に設定する。図１５は隣接装置の消滅によるネットワーク構成の変化を説明する図である。リング状のネットワークの一部接続（Ｄ１，Ｄ２間の接続）が切断すると（（ａ）の状態）、切断部分の各装置Ｄ１，Ｄ２にはそれぞれ折り返し経路（ＬＢ）が形成され、当該ネットワークは装置Ｄ１，Ｄ２を端部とするカスケード状の接続形態になる（（ｂ）の状態）。
【００９２】
ステップＳ２２において、隣接装置の消滅を検出した当該装置は、自身が属するネットワークのデバイスリストの内容を更新する。このデバイスリスト更新により当該装置の上側又は下側の行には接続状態を示す情報として「ｏｐｅｎ」が書き込まれる。「ｏｐｅｎ」が書き込まれる行の位置は、消滅した側が、当該装置に対してオーディオネットワークの上流側か下流側かに応じて異なる。もともとカスケードネットワークであった場合（リストに既に「ｏｐｅｎ」が記載されていた場合）は、デバイスリストから、新たに書き込んだ「ｏｐｅｎ」の該消滅した側の装置の情報を、該既存の「ｏｐｅｎ」まで全て削除する。もともとリングネットワークであった場合（リストに「ｌｏｏｐ」が記載されていた場合）は、デバイスリストから何れの装置の情報も削除することなく、「ｌｏｏｐ」記号だけを削除する。例えば、図１５の場合、装置Ｄ１の当初のデバイスリストは{Ｄ１，Ｄ２，Ｄ＊，Ｄ＊，Ｄ＊，ｌｏｏｐ}であり、切断後は、{Ｄ１，ｏｐｅｎ，Ｄ２，Ｄ＊，Ｄ＊，Ｄ＊}に更新され、また、装置Ｄ２の当初のデバイスリストは{Ｄ２，Ｄ＊，Ｄ＊，Ｄ＊，Ｄ１，ｌｏｏｐ}であり、切断後は、{Ｄ２，Ｄ＊，Ｄ＊，Ｄ＊，Ｄ１，ｏｐｅｎ}に更新される。ステップＳ２３において、更新されたデバイスリストの内容を、当該装置に接続されている全ての装置に対して通知する。通知を受けた各装置は、図１２の処理により、その装置内に記憶されているデバイスリストの内容を更新する。通知をする範囲は、前記ステップS18と同様に、当該装置が属するネットワーク内の全ての装置、及び、そのネットワークに対して接続ノードを介してフルブリッジ又はパーシャルブリッジ設定で接続された全ネットワークである。例えば、図１５の場合、装置Ｄ１を起点として、装置Ｄ２が切断されたことを示す情報が他の装置に通知されるとともに、装置Ｄ２を起点として、装置Ｄ１が切断されたことを示す情報が他の装置に通知され、通知を受けた各装置のデバイスリストが更新される。
【００９３】
図１２のフローチャートは、前記ステップＳ１８又はＳ２３によるデバイスリスト更新通知を受信したときに、その装置が実行する処理例を示す。ステップＳ２４において、その装置のＣＰＵは、受信した更新内容に基づいて、その装置内のメモリに記憶された、対応するデバイスリストを、通知元の装置で行われた更新と同様に、更新する。その装置が接続ノードである場合（ステップＳ２５のｙｅｓ）、ステップＳ２６において、その装置は、受信したデバイスリスト更新通知を、接続ノードを介した接続先のネットワークの全ての装置に対して通知する。接続ノードは２つのネットワークを接続する部分であるから、接続ノードの接続先のネットワークとは、更新内容を受信したネットワークに対して他のネットワークである。接続ノードの接続先のネットワークにも更新内容を通知するので、互いに接続された全てのネットワークの全ての装置（図１で示す接続例の全体）がデバイスリスト更新内容を受信し、記憶しているデバイスリストを更新することができる。
【００９４】
このように、個々のネットワークの構成が変更される毎に、全ての装置が持つ当該ネットワークのデバイスリストが更新される。よって、オーディオネットワークビュー画面には、常に、現在のオーデクイネットワークシステム１００の接続態様を表示することができる。
【００９５】
デバイスリストが、各装置のオーディオネットワーク通信機能（詳しくはオーディオネットワークの通信プロトコルの階層モデルにおけるＭＡＣ層）により更新・作成されるものであり、単に物理的に接続された装置を記録するのではなく、伝送フレームの伝送経路が形成された装置の接続状態を記録したものであるため、ユーザは、デバイスリストに基づくネットワークビュー画面の表示により伝送フレームが実際に流れている経路に対応するネットワークの接続状態を確認できる。また、各ネットワークのデバイスリストには、接続されている複数の装置が、その接続順にリストされており、ネットワークビュー画面の表示では、各装置の上流にどの装置が接続されており、下流にどの装置が接続されているかを確認できる。
【００９６】
《デバイスリストの更新：接続ノードとしての動作開示時》
第１Ｎ＿Ｉ／Ｏを介して第１のネットワークに接続された装置の第２Ｎ＿Ｉ／Ｏの何れかの端子が、第１のネットワークに属していない他の装置の何れかのＮ＿Ｉ／Ｏの何れかの端子と接続されたとき、上述したステップＳ１３と同様に、当該装置は相手装置と接続の可否について交渉する。交渉が成立すると、ステップＳ１５乃至ステップＳ２０と同様に、少なくとも当該装置と相手装置とを含む、第２のネットワークの伝送フレームの伝送経路が形成され、当該装置は、第１のネットワークと第２のネットワークを接続する接続ノード（ブリッジ）となる。両側のネットワークで伝送フレームが巡回し始めた時点で、当該装置は、イーサネット（登録商標）領域４３のデータのブリッジを開始する。すなわち、各一方のネットワークにおいてイーサネット（登録商標）領域に書き込まれたイーサネット（登録商標）形式のフレームデータを、そのアドレスに従って、必要に応じて他方のネットワークの伝送フレームのイーサネット（登録商標）領域に書き込む（ルーティングする）。
この状況において、当該装置が、第１のネットワークと第２のネットワークの少なくとも一方におけるマスタノードとして動作していれば、第１のネットワークと第２のネットワークの伝送フレームの送信周期、すなわち、オーディオ信号のサンプリングクロックが相互に同期し、一方のネットワークのオーディオ信号を他方のネットワークに流す条件が整ったことになるので、当該装置は、ブリッジ設定に従い音響信号のブリッジ動作を開始する。すなわち、当該装置のブリッジ設定が、フルブリッジモードに設定されていた場合は、各一方のネットワークにおいて伝送フレームに書き込まれた全てのＮ伝送ｃｈのオーディオ信号を他方のネットワークの伝送フレームの同じＮ伝送ｃｈに書き込み、パーシャルブリッジモードに設定されていた場合は、各一方のネットワークにおいて伝送フレームに書き込まれたＮ伝送ｃｈのオーディオ信号のうちの、転送が設定されたＮ伝送ｃｈのオーディオ信号を、他方のネットワークの当該装置に割り当てられたＮ伝送ｃｈに書き込む。
イーサネット（登録商標）形式のフレームデータのルーティングが開始されると、一方のネットワークの何れかの装置で行われたデバイスリストの更新が、当該装置越しに、他方のネットワークの各装置にも通知され、該通知によって、２つのネットワークの全装置のデバイスリストが更新されるようになる。この場合のデバイスリスト更新の手順は、基本的に、単一のネットワークの場合と同様である。当該装置は、まず、自身が保有している第１ネットワークのデバイスリストの情報を、第２ネットワークの隣接する装置に通知するとともに、該第２ネットワークの隣接する装置より、第２ネットワークのデバイスリストの情報を受け取る。そして、受け取った第２ネットワークの情報に基づいて、自身の機器ＩＤとその情報に含まれる第２ネットワークの各装置の機器ＩＤとを含む第２ネットワークのデバイスリストを生成するとともに、該生成したデバイスリストの情報を、第１ネットワークの各装置に通知する。
なお、第２Ｎ＿Ｉ／Ｏでの新規接続が検出されたとき、ステップＳ１３での交渉が不成立（接続否）であった場合は、第２Ｎ＿Ｉ／Ｏには何の接続も行われていないのと等価であり、この接続に関して新たなデバイスリストは作成されない。
【００９７】
以上説明した通り、本実施例によりオーディオネットワークビュー画面を表示することで、ユーザは、複数のネットワークからなるシステム１００の接続態様について、各ネットワークを構成する装置数、装置種類、各ネットワークを構成する複数装置の接続順を画面から認識できる。また、ユーザは、オーディオネットワークビュー画面から各ネットワークの接続形態（カスケード状かリング状か）を認識でき、カスケードの場合、どの２つの装置をループすればよいのかも簡単に認識できる。また、ユーザは、オーディオネットワークビュー画面から、接続ノードを介して接続された２つのネットワークがフルブリッジ設定で接続されているのか、パーシャルブリッジ設定で接続されているのかを認識できる。また、フルブリッジ設定の場合、そのネットワーク構成が表示されるので、ユーザは、オーディオネットワークビュー画面から、１つのシステム１００として制御装置でリモート制御できる全範囲の装置構成を、簡単に認識できる。
【００９８】
なお、図６のオーディオネットワークビュー画面において、最上段６１ａには、基本ネットワークとして、その画面を表示する装置が属するネットワークが表示される構成（その画面を表示する装置に応じて基本ネットワークが変化する構成）を説明したが、システム１００中の１つのネットワークが固定的に基本ネットワークとなってもよい。つまり、各装置が持つ各ネットワーク毎のデバイスリストのうち１つが基本ネットワーク用のデバイスリストとして固定さされてもよい。
また、図６のオーディオネットワークビュー画面における各表示段６１ａ〜６１ｆにおける各装置画像６２の表示順（接続順の表示）が、その画面を表示する装置に応じて変化する構成を説明したが、各ネットワークにおける各装置画像６２の表示順（接続順の表示）が固定される構成であってもよい。つまり、各装置が持つ各ネットワーク毎のデバイスリストにおける装置の記録順を全ての装置で共通する順番に固定してもよい。
【００９９】
なお、上記の説明では、接続ノードの画像６２は、その装置の第１Ｎ＿Ｉ／Ｏを介して接続されたネットワークの表示段（２つのネットワークを表示する表示段うち上段側）に表示されるものとしたが、接続ノードの画像６２が、その装置の第２Ｎ＿Ｉ／Ｏを介して接続されたネットワークの表示段（２つのネットワークを表示する表示段うち下段側）に表示されてもよい。また、接続ノードの画像６２が２つのネットワークの両方の表示段に表示されてもよい。
【０１００】
また、全ての装置が２つのＮ＿Ｉ／Ｏを有する必要はなく、少なくとも接続ノードとなる装置だけがＮ＿Ｉ／Ｏを２つ有していればよい。また、接続ノードは、複数のネットワークをフルブリッジ接続あるいはパーシャルブリッジ接続する場合にネットワーク中に少なくとも１つあればよい。
なお、パーシャルブリッジで接続された別のネットワークに関しては、必ずしも、装置の接続順を検出しデバイステーブルを作成する必要はない。
【０１０１】
本実施形態の２つの信号処理エンジン（ＤＳＰ＿Ａ，ＤＳＰ＿Ｂ）は、二重化のためのミラーリング動作を行うようになっていたが、それぞれ独立に、異なる信号処理を行わせ、それにより、ミキシング処理の規模を拡張してもよい。
【０１０２】
以上の説明において、各ノードは、それぞれ、１又は２のオーディオネットワークに接続するための１又は２のインターフェースを有するとしたが、３以上のインターフェースを有していてもよい。
以上の説明において、各ノードのインターフェースはオーディオネットワークに接続するための方向性を有する一組（２つ）の端子を有するとしたが、３以上の端子を有していてもよい。
以上の説明において、ブリッジ設定手段は、該設定操作に応じて、制御装置および当該接続ノードの各カレントメモリに記憶された当該接続ノードの２つのＮ＿Ｉ／Ｏのパラメータを設定する。また、ブリッジ設定手段の動作は、個々の接続ノード（ブリッジ）のＣＰＵがユーザの指示に応じて、自身の設定に関する制御を行っても良いし、或いは、制御装置又はマスタノードにより各接続ノードにけるブリッジ設定をリモート制御してもよい。
以上の説明において、オーディオネットワークビュー画面は、基本ネットワークを最上段とし、画面下方向に他のネットワークを段階的に表示する態様にて説明したが、表示画面における左から右方向、右から左方向、下から上方向、中心から外周方向等種々の表示態様を採用してもよい。あるいは表示画面に対して略直交する仮想的な奥行き空間を定義し、奥行き方向あるいは手前方向等任意の方向に各階層を三次元的に表示するようにしてもよい。この場合、表示画面として立体液晶等の三次元表示可能なディスプレイ装置を採用し、裸眼あるいはシャッターグラス等を用いた三次元表示を行うようにしてもよい。あるいは１又は複数の表示レイヤを設け、レイヤ毎に個々のネットワークを描画することにより複数のネットワークを重畳させて表示する等、上記三次元的に配置した各層のネットワークを平面に投影した状態にて表示してもよい。この場合レイヤあるいはネットワーク毎に、表示順序を入れ替え可能としたり、描画配色や描画色の輝度を異ならせたり、描画する線や文字のサイズを異ならせる等することが望ましい。また、これら表示態様を適宜組み合わせても良い。
【符号の説明】
【０１０３】
１００  オーディオネットワークシステム、１１０，１１１  ＰＣ、１  ミキシングシステム、２、３コンソール、４，５  信号処理エンジン、６〜８  入出力装置、１０，２０，３０  ＣＰＵ、１１，２１，３１  メモリ、１２、２２，３２  ＰＣ＿Ｉ／Ｏ、１３，２３，３３  オーディオＩ／Ｏ、１４，２４，３４  第１ネットワークＩ／Ｏ、１５，２５，３５、  第２ネットワークＩ／Ｏ、１６  Ｐ表示部、６０  ネットワーク表示領域、６１ａ〜６１ｄ  表示段、６２  装置画像、６３  装置名、６４  第１Ｎ＿Ｉ／Ｏ画像、６５  第２Ｎ＿Ｉ／Ｏ画像、６６  接続ケーブル画像、６７  パーシャルブリッジ画像
【図１】
2011223567.tif 000003
【図２】
2011223567.tif 000004
【図３】
2011223567.tif 000005
【図４】
2011223567.tif 000006
【図５】
2011223567.tif 000007
【図６】
2011223567.tif 000008
【図７】
2011223567.tif 000009
【図８】
2011223567.tif 000010
【図９】
2011223567.tif 000011
【図１０】
2011223567.tif 000012
【図１１】
2011223567.tif 000013
【図１２】
2011223567.tif 000014
【図１３】
2011223567.tif 000015
【図１４】
2011223567.tif 000016
【図１５】
2011223567.tif 000017